(57)【要約】テザー６０は一対の案内板６４を有する。一対の案内板６４は、テザー先端に向かって間隔が広がる対向２辺６４ａをもつ。テザー６０は弾性片６６を有してもよい。一対の案内板６４はアンカー６２側に突出する突部６４ｄを有してもよい。テザー中間部６０ａを屈曲させてテザー６０を長くしてもよい。テザー６０は第２、第３の案内板７６、７８を有してもよい。ピラーガーニッシュ８０がピラー９０から離れる方向に移動する時、案内板の２辺６４ａがテザー挿入孔８６の縁部に当たりテザー６０のクリップ中心軸線１０ａまわりの回転とアンカー６２のテザー挿入孔すり抜けを防止する。弾性片６６と突部６４ｄはテザー収納部底壁８４が案内板６４とアンカー６２の間に来た時にテザー６０の回転を防止する。第２、第３の案内板７６、７８もテザー６０の回転を防止する。
2016017539.tif 000002
【特許請求の範囲】
【請求項１】
テザー挿入孔が設けられた底壁をもつテザー収納部を有するピラーガーニッシュに組み付けられ、
先端および座部側端並びにテザー中間部を有し１つの平面に沿う方向に延びるテザーと、テザーの先端に接続され前記１つの平面と直交する方向に延びるアンカーと、を有するテザークリップであって、
テザー中間部に、前記１つの平面に沿う方向に延び、テザー中間部から離れる方向でかつ互いに反対方向に延びる一対の案内板が設けられており、
該一対の案内板はテザー中間部のうち一対の案内板が設けられる部分を間にして互いに対向する対向２辺を有し、該対向２辺の間隔はテザーの先端に近づくにつれて広くなっているテザークリップ。
【請求項２】
案内板とアンカーとの間のテザー部分に弾性片が設けられており、弾性片は、前記１つの平面に沿う方向に、案内板とアンカーとの間のテザー部分から離れる方向かつアンカーに近づく方向に延びる請求項１記載のテザークリップ。
【請求項３】
一対の案内板には、案内板のアンカーに対向する部位に、アンカーに向かう方向に突出する突部が形成されている請求項１記載のテザークリップ。
【請求項４】
案内板の突部のアンカー側先端とアンカーとの間には、テザー収納部の底壁の厚さより大で、テザーの先端の中心線がテザー収納部の底壁に直交する線から傾いた時に案内板の突部をテザー挿入孔に突入させる間隔が設けられている請求項３記載のテザークリップ。
【請求項５】
一対の案内板のアンカーに対向する部位には、突部よりテザー中間部側に、突部の先端よりもアンカーから遠ざかる方向に凹む凹部が形成されている請求項３記載のテザークリップ。
【請求項６】
テザー中間部は座部側端から上方かつアンカーから遠ざかる方向に延びる第１の部分と、第１の部分の上端から上方かつアンカーに向かう方向に延びる第２の部分と、第２の部分の上端から下方かつアンカーに向かう方向に延びる第３の部分と、第３の部分の下端から上方かつアンカーに向かう方向にテザーの先端まで延びる第４の部分と、を有している請求項３記載のテザークリップ。
【請求項７】
テザー中間部の第１の部分、第２の部分および第３の部分の少なくとも１つに、前記１つの平面に沿って、かつ、テザー中間部を挟んで互いに反対側に延びる第２の案内板と第３の案内板の少なくとも一方が設けられており、テザー中間部の第４の部分に、前記一対の案内板が設けられている請求項６記載のテザークリップ。
【請求項８】
第２の案内板と第３の案内板の少なくとも一方は第４の部分に設けられた案内板と、テザー中間部の延び方向に沿う方向に、非連続である請求項６記載のテザークリップ。
【請求項９】
テザー中間部は座部側端から上方かつアンカーから遠ざかる方向に延びる第１の部分と、第１の部分の上端から上方かつアンカーに向かう方向に延びる第２の部分と、第２の部分の上端から下方かつアンカーに向かう方向に延びる第３の部分と、第３の部分の下端から上方かつアンカーに向かう方向にテザーの先端まで延びる第４の部分と、を有している請求項１記載のテザークリップ。
【請求項１０】
テザー中間部の第１の部分、第２の部分および第３の部分の少なくとも１つに、前記１つの平面に沿って、かつ、テザー中間部を挟んで互いに反対側に延びる第２の案内板と第３の案内板の少なくとも一方が設けられており、テザー中間部の第４の部分に、前記一対の案内板が設けられている請求項９記載のテザークリップ。
【請求項１１】
第２の案内板と第３の案内板の少なくとも一方は第４の部分に設けられた案内板と、テザー中間部の延び方向に沿う方向に、非連続である請求項１０記載のテザークリップ。
【請求項１２】
長方形状のアンカーを有する請求項１、請求項２、請求項３−請求項５、請求項６−請求項８、および請求項９−請求項１１の何れか１項に記載のテザークリップと、
長方形状のテザー挿入孔が設けられた底壁をもつテザー収納部を有し、前記テザークリップがテザーの延び方向をピラーガーニッシュ長手方向に向けて組付けられるピラーガーニッシュと、
を備え、
テザー挿入孔の長辺は案内板の対向２辺の最大間隔より長く、
テザー挿入孔の短辺は案内板の対向２辺の最大間隔より短い、テザークリップのピラーガーニッシュへの組付構造。
【請求項１３】
テザー収納部はピラーガーニッシュ長手方向に開放された開口を有しており、
テザークリップをピラーガーニッシュに組み付けた状態において、テザーはテザー収納部の内側から外側に延び出ており、アンカーはテザー収納部の外側に位置している請求項１２記載のテザークリップのピラーガーニッシュへの組付構造。
【請求項１４】
一対の案内板には、案内板のアンカーに対向する部位に、アンカーに向かう方向に突出する突部が形成されており、
テザー収納部の底壁の外面に、案内板の突部が引っ掛かることができ、突部が引っ掛かった時にテザー収納部の底壁に対するテザーの回転を止める回り止めが設けられている請求項１２記載のテザークリップのピラーガーニッシュへの組付構造。
【発明の詳細な説明】
【技術分野】
【０００１】
本発明は、テザークリップと、テザークリップのピラーガーニッシュへの組付構造（「組付構造」は「組付装置」といってもよい）に関する。
【背景技術】
【０００２】
特許文献１は、従来のテザークリップと、テザークリップのピラーガーニッシュへの組付構造を開示している。
テザークリップは、フロントピラーガーニッシュ（以下、単に「ピラーガーニッシュ」ともいう）に組付けられ、テザークリップが組付けられたピラーガーニッシュを車両ボデーのフロントピラー（以下、単にピラーともいう）に取り付けるのに用いられる。テザークリップは、カーテンエアバッグ（以下、ＣＳＡともいう。ＣＳＡはCurtain Shield Airbag の略である。) の展開時に、ピラーガーニッシュのピラーから離れる方向への移動をテザークリップのアンカーがピラーガーニッシュのテザー収納部に設けられたテザークリップ挿入孔（以下、単に「テザー挿入孔」ともいう）の周縁部に当たるところまで許してピラーガーニッシュとピラーとの間にＣＳＡ膨張展開用の隙間を作り、それ以上の移動を拘束してピラーガーニッシュの飛散を防止する。
【先行技術文献】
【特許文献】
【０００３】
【特許文献１】特開２０１１−１５７０５４号公報
【発明の概要】
【発明が解決しようとする課題】
【０００４】
ＣＳＡ膨張展開用の隙間を十分に得るために従来のテザークリップにおいてピラーガーニッシュの長手方向と直交する方向で十分なテザー長さを確保しようとすると、テザー収納部のピラーガーニッシュの長手方向と直交する方向のスペースが必要でスペース的に成り立たない場合がある。【０００５】
この対策として、テザークリップのテザーの曲がり方向と延び方向をピラーガーニッシュの長手方向に向けた場合、ＣＳＡ膨張展開時にテザーが延び方向と直交方向にピラーガーニッシュにより押されてテザーがクリップ中心軸線まわりに回転する可能性がある。テザーが回転するのは、テザークリップの断面円形の脚がピラーの円形のクリップ取付孔内でクリップ中心軸線まわりに回転可能であること、およびテザーが曲がっているためクリップ中心軸線からオフセットした部位でテザークリップ挿入孔縁部により押されること、による。テザーが９０度近くまでクリップ中心軸線まわりに回転すると、ＣＳＡ膨張展開時にテザーがほぼ直線状に伸びた状態で、テザーの延び方向と直交するアンカーの長手方向とピラーガーニッシュのテザー挿入孔の長手方向が一致してしまい、アンカーがピラーガーニッシュのテザー挿入孔からすり抜け、ピラーガーニッシュがテザークリップから外れて飛散してしまうことが考えられる。【０００６】
本発明の目的は、ピラーガーニッシュがピラーから離れる方向に移動する時、テザーがクリップ中心軸線まわりに９０度近く回転する前にテザーの回転を止めると共に、ピラーガーニッシュがピラーから離れる方向にテザーの回転が止められた状態以上に移動する時、テザーのクリップ中心軸線まわりの回転を０度近くにまで戻すことができるテザークリップと、該テザークリップのピラーガーニッシュへの組付構造を提供することにある。
【課題を解決するための手段】
【０００７】
上記目的を達成する本発明のテザークリップと、テザークリップのピラーガーニッシュへの組付構造は、つぎの態様（「態様」は「構造」と云ってもよい）をとることができる。なお、括弧付きの符号は図面に現れる部材番号に対応する。ただし、本発明は、括弧付きの符号の部材の形態に限定されるものではない。また、各態様と後述する本発明の第１−第３実施例との関係も併せて示す。【０００８】
本発明の第１の態様では、テザークリップ（１０）は、テザー挿入孔（８６）が設けられた底壁（８４）をもつテザー収納部（８２）を有するピラーガーニッシュ（８０）に組み付けられる。テザークリップ（１０）は、先端（６０ｂ）および座部側端（６０ｃ）並びにテザー中間部（６０ａ）を有し１つの平面に沿う方向に延びるテザー（６０）と、テザーの先端（６０ｂ）に接続され上記１つの平面と直交する方向に延びるアンカー（６２）と、を有する。
テザー中間部（６０ａ）に、上記１つの平面に沿う方向に延び、テザー中間部（６０ａ）から離れる方向でかつ互いに反対方向に延びる一対の案内板（６４）が設けられている。一対の案内板（６４）は、テザー中間部（６０ａ）のうち一対の案内板が設けられる部分（６０ｆ）を間にして互いに対向する対向２辺（６４ａ）を有する。対向２辺（６４ａ）の間隔はテザーの先端（６０ｂ）に近づくにつれて広くなっている。
第１の態様は、本発明の第１実施例に対応し、本発明の第２実施例、第３実施例にも適用可能である。【０００９】
本発明の第２の態様では、上記第１の態様において、案内板（６４）とアンカー（６２）との間のテザー部分（６０ｇ）に弾性片（６６）が設けられている。弾性片（６６）は、上記１つの平面に沿う方向に、案内板（６４）とアンカー（６２）との間のテザー部分（６０ｇ）から離れる方向かつアンカー（６２）に向かう方向に延びる。
第２の態様は、本発明の第１実施例に対応する。【００１０】
本発明の第３の態様では、上記第１の態様において、一対の案内板（６４）には、案内板（６４）のアンカー（６２）に対向する部位に、アンカー（６２）に向かう方向に突出する突部（６４ｄ）が形成されている。
第３の態様は、本発明の第２実施例に対応し、本発明の第３実施例にも適用可能である。【００１１】
本発明の第４の態様では、上記第３の態様において、案内板（６４）の突部（６４ｄ）のアンカー側先端とアンカー（６２）との間には、テザー収納部（８２）の底壁（８４）の厚さより大で、テザーの先端（６０ｂ）の中心線がテザー収納部（８２）の底壁（８４）に直交する線から傾いた時に案内板（６４）の突部（６４ｄ）をテザー挿入孔（８６）に突入させる間隔が設けられている。
第４の態様は、本発明の第２実施例に対応し、本発明の第３実施例にも適用可能である。【００１２】
本発明の第５の態様では、上記第３の態様において、一対の案内板（６４）のアンカー（６２）に対向する部位には、突部（６４ｄ）よりテザー中間部（６０ａ）側に、突部（６４ｄ）の先端よりもアンカー（６２）から遠ざかる方向に凹む凹部（６４ｅ）が形成されている。
第５の態様は、本発明の第２実施例に対応し、本発明の第３実施例にも適用可能である。【００１３】
本発明の第６の態様では、上記第３の態様において、テザー中間部（６０ａ）は、座部側端（６０ｃ）から上方かつアンカー（６２）から遠ざかる方向に延びる第１の部分（６０ｈ）と、第１の部分（６０ｈ）の上端から上方かつアンカー（６２）に向かう方向に延びる第２の部分（６０ｉ）と、第２の部分（６０ｉ）の上端から下方かつアンカー（６２）に向かう方向に延びる第３の部分（６０ｊ）と、第３の部分（６０ｊ）の下端から上方かつアンカー（６２）に向かう方向にテザーの先端（６０ｂ）まで延びる第４の部分（６０ｋ）と、を有している。
第６の態様は、本発明の第３実施例に対応する。【００１４】
本発明の第７の態様では、上記第６の態様において、テザー中間部（６０ａ）の第１の部分（６０ｈ）、第２の部分（６０ｉ）および第３の部分（６０ｊ）の少なくとも１つに、上記１つの平面に沿って、かつ、テザー中間部（６０ａ）を挟んで互いに反対側に延びる第２の案内板（７６）と第３の案内板（７８）の少なくとも一方が設けられており、テザー中間部（６０ａ）の第４の部分（６０ｋ）に一対の案内板（６４）が設けられている。
第７の態様は、本発明の第３実施例に対応する。【００１５】
本発明の第８の態様では、上記第７の態様において、第２の案内板（７６）と第３の案内板（７８）の少なくとも一方は第４の部分（６０ｋ）に設けられた案内板（６４）と、テザー中間部（６０ａ）の延び方向に沿う方向に、非連続である。
第８の態様は、本発明の第３実施例に対応する。【００１６】
本発明の第９の態様では、上記第１の態様において、テザー中間部（６０ａ）は座部側端（６０ｃ）から上方かつアンカー（６２）から遠ざかる方向に延びる第１の部分（６０ｈ）と、第１の部分（６０ｈ）の上端から上方かつアンカー（６２）に向かう方向に延びる第２の部分（６０ｉ）と、第２の部分（６０ｉ）の上端から下方かつアンカー（６２）に向かう方向に延びる第３の部分（６０ｊ）と、第３の部分（６０ｊ）の下端から上方かつアンカー（６２）に向かう方向にテザーの先端（６０ｂ）まで延びる第４の部分（６０ｋ）と、を有している。
第９の態様は、本発明の第３実施例に対応する。【００１７】
本発明の第１０の態様では、上記第９の態様において、テザー中間部（６０ａ）の第１の部分（６０ｈ）、第２の部分（６０ｉ）および第３の部分（６０ｊ）の少なくとも１つに、上記１つの平面に沿って、かつ、テザー中間部（６０ａ）を挟んで互いに反対側に延びる第２の案内板（７６）と第３の案内板（７８）の少なくとも一方が設けられており、テザー中間部（６０ａ）の第４の部分（６０ｋ）に一対の案内板（６４）が設けられている。
第７の態様は、本発明の第３実施例に対応する。【００１８】
本発明の第１１の態様では、上記第１０の態様において、第２の案内板（７６）と第３の案内板（７８）の少なくとも一方は第４の部分（６０ｋ）に設けられた案内板（６４）と、テザー中間部（６０ａ）の延び方向に沿う方向に、非連続である。
第１１の態様は、本発明の第３実施例に対応する。【００１９】
本発明の第１２の態様では、テザークリップのピラーガーニッシュへの組付構造（１）は、長方形状のアンカー（６２）を有する上記第１、第２、第３−第５、第６−第８、および第９−第１１の態様の何れか１つの態様のテザークリップ（１０）と、
長方形状のテザー挿入孔（８６）が設けられた底壁（８４）をもつテザー収納部（８２）を有し、前記テザークリップ（１０）がテザー（６０）の延び方向をピラーガーニッシュ長手方向に向けて組付けられるピラーガーニッシュ（８０）と、
を備える。
テザー挿入孔（８６）の長辺は案内板（６４）の対向２辺（６４ａ）の最大間隔より長い。
テザー挿入孔（８６）の短辺は案内板（６４）の対向２辺（６４ａ）の最大間隔より短い。
第１２の態様は、本発明の第１実施例に対応し、第２実施例、第３実施例に適用可能である。【００２０】
本発明の第１３の態様では、上記第１２の態様において、テザー収納部（８２）はピラーガーニッシュ長手方向に開放された開口（８２ａ）を有している。
テザークリップ（１０）をピラーガーニッシュ（８０）に組み付けた状態において、テザー（６０）はテザー収納部（８２）の内側から外側に伸び出ており、アンカー（６２）はテザー収納部（８２）の外側に位置している。
第１３の態様は、本発明の第１実施例に対応し、第２実施例、第３実施例に適用可能である。【００２１】
本発明の第１４の態様では、上記第１２の態様において、一対の案内板（６４）には、案内板（６４）のアンカー（６２）に対向する部位に、アンカー（６２）に向かう方向に突出する突部（６４ｄ）が形成されている。
テザー収納部（８２）の底壁（８４）の外面に、案内板の突部（６４ｄ）が引っ掛かることができ、突部（６４ｄ）が引っ掛かった時にテザー（６０）の底壁（８４）に対する回転を止める回り止め（８４ａ）が設けられている。
第１４の態様は、本発明の第２実施例に対応し、本発明の第３実施例に適用可能である。
【発明の効果】
【００２２】
上記第１の態様によれば、つぎの効果が得られる。
ピラーガーニッシュがテザークリップから抜ける方向に移動する時、テザーがピラーガーニッシュにより押されてテザークリップがクリップ中心軸線まわりに回転する場合がある。
しかし、上記第１の態様では、テザーに案内板が設けられているので、テザーがクリップ中心軸線まわりに９０度近く回転する前に案内板の２辺がテザー挿入孔の縁部に当たって、それ以上にテザーがクリップ中心軸線まわりに回転することが防止される。
その状態からさらにピラーガーニッシュがテザークリップから抜ける方向に移動すると、テザー先端に近づくにつれて広くなっている案内板の対向２辺とテザー挿入孔縁部との接触部がテザー先端に近づく。案内板の対向２辺の間隔はテザー挿入孔の短辺の長さに規制されるため、対向２辺とテザー挿入孔縁部との接触部がテザー先端に近づくにつれてテザーのクリップ中心軸線まわりの回転角度が０度近くに戻される。
これによって、ピラーガーニッシュがテザークリップから抜ける方向に移動する途中において、テザーのクリップ中心軸線まわりの回転が止められ、しかもピラーガーニッシュがさらに移動すると、アンカーの長手方向とテザー挿入孔の長手方向との角度が直交に近づくように矯正される。その結果、アンカーの長手方向とテザー挿入孔の長手方向とが一致してアンカーがテザー挿入孔をすり抜けることが防止される。【００２３】
上記第２の態様によれば、弾性片が設けられているので、ＣＳＡ膨張展開時にアンカーがテザー収納部の底壁内面に当たった時には、弾性片がテザー挿入孔内に進入し、弾性片によってテザーの回転が防止される。これによって、テザー収納部の底壁が案内板とアンカーとの間に来て案内板による回転防止が効かない時においても、弾性片によって、テザーのクリップ中心軸線まわりの回転とアンカーのテザー収納部の底壁に対する回転が止められる。そのため、弾性片によってアンカーの長手方向とテザー挿入孔の長手方向との直交が保たれる。その結果、アンカーの長手方向とテザー挿入孔の長手方向とが一致してアンカーがテザー挿入孔をすり抜けることが防止される。
なお、剛片ではなく弾性片により回転防止しているため、テザークリップのピラーガーニッシュへの組付は可能である。テザークリップのピラーガーニッシュへの組付時には、アンカーをテザー収納部底壁のテザー挿入孔に通してテザー収納部内に入れ、弾性片をテザー収納部底壁の外面に押し付けて弾性変形させて平坦にする。この状態でテザークリップをピラーガーニッシュに対して９０度回転させることにより、弾性片と案内板をテザー挿入孔を通してテザー収納部内に入れることができる。【００２４】
上記第３の態様によれば、案内板に突部が設けられているので、テザーのテザー収納部の底壁に対する回転が案内板によって規制されつつピラーガーニシュがピラーから離れる方向に移動していく時、突部が案内板に引き続いて円滑にテザー挿入孔内に進入する。また、ピラーガーニシュがテザーの曲がりを反曲がり方向に矯正しつつピラーから離れる方向に移動しても、テザーには曲がり方向に弾性復元力が働くので、一対の案内板がテザー収納部の底壁に対して傾く。これによって、一対の突部のうち一方の突部がテザー挿入孔内に進入し、この突部によってテザーのクリップ中心軸線まわりの回転と、テザー先端部の中心軸線まわりのテザー収納部の底壁に対する回転が、防止される。
案内板に突部が設けられる場合には、第２の態様の弾性片は設けられない。【００２５】
上記第４の態様によれば、突部とアンカーとの間の間隔が、テザーの先端の中心線がテザー収納部の底壁に直交する線から傾いた時に案内板の突部をテザー挿入孔に突入させる大きさとされている。その結果、ピラーガーニッシュがテザークリップから抜ける方向に移動してアンカーがテザー収納部の底壁内面に当たった時には、一方の案内板の突部がテザー挿入孔に進入し、アンカーがテザー収納部の底壁に対して回転するのを止めることができる。
また、突部とアンカーとの間の間隔を、テザー収納部の底壁の厚さより大としたので、突部がほぼ剛体であっても、テザーをテザー収納部に組み付けることができる。その場合、アンカーをテザー挿入孔に通してテザー収納部に入れた後、テザーの先端の中心線をテザー収納部の底壁に対して直交させた状態でテザーをテザーの先端の中心線まわりに９０度回転させ、突部を有する案内板をテザー挿入孔に通してテザー収納部に入れる。【００２６】
上記第５の態様によれば、案内板に、突部よりテザー中間部側部位に凹部を設けたので、突部よりテザー中間部側部分の肉厚部位の成形途中における材料の引けとそれによる突部の変形を抑制することができる。その結果、突部の形状、寸法精度は高い。【００２７】
上記第６の態様または第９の態様によれば、テザー中間部が、第１、第２、第３および第４の部分を有するので、後述する図２０のテザー側面視において、テザーを左右および上下方向に湾曲させることができ、テザー長を長くできる。その結果、ＣＳＡ膨張展開時のピラーガーニッシュの開き量（ピラーガーニッシュとピラーとの間隔）を大きくでき、ＣＳＡを容易かつ確実に膨張、展開させることができる。【００２８】
上記第７の態様または第１０の態様によれば、テザー中間部の第１、第２および第３の部分の少なくとも１つに第２、第３の案内板の少なくとも一方を設けたので、テザー長を長くしても、一対の案内板がテザー挿通孔に掛かる前から、第２、第３の案内板の少なくとも一方がテザー挿通孔に掛かり、テザーのクリップ中心軸線まわりの回転を防止できる。【００２９】
上記第８の態様または第１１の態様によれば、第２、第３の案内板が一対の案内板と非連続であるため、第２、第３の案内板を設けたにもかかわらず、テザーの柔軟性が確保される。その結果、テザーを長くした効果、すなわち、ＣＳＡ膨張展開の際のピラーガーニッシュの開き量を大きくできるという効果が確実に得られる。【００３０】
上記第１２の態様によれば、テザー挿入孔の長辺が案内板の２辺の最大間隔より長いので、案内板を設けたにもかかわらずテザークリップをピラーガーニッシュに組み付けることができる。
テザー挿入孔の短辺が案内板の２辺の最大間隔より短いので、ＣＳＡ膨張展開時にテザーがクリップ中心軸線まわりに９０度近く回転する前に案内板の２辺がテザー挿入孔の縁部に当たって、それ以上にテザーがクリップ中心軸線まわりに回転することが防止される。また、その状態からさらにピラーガーニッシュがテザークリップから抜ける方向に移動すると、テザー先端に近づくにつれて広くなっている２辺の間隔がテザー挿入孔縁部で規制されて、テザーのクリップ中心軸線まわりの回転角度が０度近くに戻される。【００３１】
上記第１３の態様によれば、アンカーをテザー収納部の外側に位置させたので、テザーを長くしても、アンカーや案内板のテザー収納部の側壁との干渉を招くことなく、テザークリップをピラーガーニッシュに組み付けることができる。【００３２】
上記第１４の態様によれば、突部をテザー収納部底壁の回り止めに引っ掛けることにより、テザーのクリップ中心軸線まわりの回転とテザー先端部のテザー収納部底壁に対する回転を確実に防止できる。
【図面の簡単な説明】
【００３３】
【図１】本発明の第１実施例に係るテザークリップの斜視図である。
【図２】ピラーガーニッシュの長手方向に沿って見た、図１より縮小されたテザークリップのピラーガーニッシュへの組付構造の正面図である。
【図３】テザーの回転を伴ってピラーガーニッシュがテザークリップから抜ける方向に移動し始めた時で、案内板がテザー挿入孔に進入する前の、テザークリップのピラーガーニッシュへの組付構造（以下、単に組付構造ともいう）の斜視図である。
【図４】ピラーガーニッシュがテザークリップから抜ける方向に図３よりさらに移動し案内板がテザー挿入孔縁部に摺接してテザーの回転が０度に戻されるモーメントが働いている時の、組付構造の平面図である。
【図５】図４の組付構造の正面図である。
【図６】ピラーガーニッシュがテザークリップから抜ける方向に図４よりさらに移動し案内板がテザー挿入孔に進入しテザーの回転が０度に戻された時の、組付構造の斜視図である。
【図７】ピラーガーニッシュがテザークリップから抜ける方向に図６よりさらに移動しアンカーがテザー挿入孔縁部に当たり、かつ弾性片がテザー挿入孔に進入した時の、組付構造の斜視図である。
【図８】ピラーガーニッシュがテザークリップから抜ける方向に移動し始め、案内板がテザー挿入孔に進入する前の段階に対応する、ステップ（以下、ＳＴＥＰ）−１における組付構造の正面図である。
【図９】図８の組付構造の平面視方向斜視図である。
【図１０】図８の組付構造の側面視方向断面図である。図１０中、実線のテザーは本発明の実施例を示し、２点鎖線のテザーは本発明の変形例を示す。
【図１１】ピラーガーニッシュがテザークリップから抜ける方向に図１０よりさらに移動し、案内板がテザー挿入孔に進入する前の段階に対応する、ＳＴＥＰ−２、３における組付構造の側面視方向断面図である。
【図１２】ピラーガーニッシュがテザークリップから抜ける方向に図１１よりさらに移動し、案内板の一部がテザー挿入孔に進入した段階に対応する、ＳＴＥＰ−４における組付構造の平面視方向斜視図である。
【図１３】図１１の組付構造の側面視方向断面図である。
【図１４】ピラーガーニッシュがテザークリップから抜ける方向に図１３よりさらに移動し案内板がテザー挿入孔に進入し回転が０度に近くに戻された段階に対応する、ＳＴＥＰ−５における組付構造の部分正面図である。
【図１５】図１４の組付構造の側面視方向断面図である。
【図１６】ピラーガーニッシュがテザークリップから抜ける方向に図１５よりさらに移動し弾性片の一部がテザー挿入孔に進入した段階に対応する、ＳＴＥＰ−６における組付構造の部分平面図である。
【図１７】図１６の組付構造の側面視方向断面図である。
【図１８】本発明の第２実施例に係るテザークリップと本発明の第２実施例に係るテザークリップのピラーガーニッシュへの組付構造の側面図である。
【図１９】図１８のテザークリップの斜視図である。
【図２０】本発明の第３実施例に係るテザークリップと本発明の第３実施例に係るテザークリップのピラーガーニッシュへの組付構造の側面図である。
【図２１】図２０のテザークリップの斜視図である。
【図２２】本発明の第２実施例に係るテザークリップのピラーガーニッシュへの組付構造における、テザー収納部の底壁外面に設けた回り止めとその近傍の斜視図である。
【図２３】本発明の第２実施例に係るテザークリップのピラーガーニッシュへの組付構造における、テザー収納部の底壁外面に設けた回り止めと、それに引っかけられた突部を有するテザークリップの突部近傍の斜視図である。
【発明を実施するための形態】
【００３４】
本発明のテザークリップ１０、およびテザークリップのピラーガーニッシュへの組付構造１を、図面を参照して説明する。
本発明は、第１−第３実施例を含む。第１実施例は案内板を設けた場合に対応する。第１実施例は弾性片を設けた場合と弾性片を含まない場合とを含むが、図は弾性片を設けた場合で示す。第２実施例は案内板に突部を設けた場合に対応する。第３実施例はテザー長を長くし、テザーに第２、第３の案内板を設けた場合に対応する。
図１−図１７は本発明の第１実施例に係わり、弾性片を除き本発明の第２実施例および第３実施例にも適用可能である。図１８、図１９、図２２および図２３は本発明の第２実施例に係わり、本発明の第３実施例にも適用可能である。図２０および図２１は本発明の第３実施例に係わる。
図面において、第１実施例−第３実施例において同じかまたは類似する構造部分には、第１実施例−第３実施例を通して共通の符号を付してある。
【００３５】
〔第１実施例〕
まず、本発明の第１実施例に係るテザークリップ１０、およびテザークリップのピラーガーニッシュへの組付構造１の構成を説明する。
第１実施例において、図１はテザークリップ１０単体を示し、図２−図１７はテザークリップ１０と、テザークリップ１０のピラーガーニッシュ８０への組付構造１を示す。
【００３６】
図１、図２、図１０に示すように、テザークリップ１０は、クリップ中心軸線１０ａ（図１０）と直交する単一の座部２４と、座部２４から離れる方向にクリップ中心軸線１０ａに沿う方向に延びる単一の脚２０と、脚２０と反対側に座部２４から離れる方向に、１つの平面に沿って、湾曲状、または直線状、または湾曲状と直線状、に延びるテザー６０と、テザーの先端６０ｂに接続されテザー６０に直交する方向に延びるアンカー６２と、座部２４から離れる方向にテザー６０と同じ側に立ち上がる係合保持部７０と、を有する。アンカー６２は、テザーが沿って延びる１つの平面と直交する方向に延びる。アンカー６２は外形が長方形状である。
【００３７】
図２および図１０に示すように、ピラーガーニッシュ８０は、テザークリップ１０がピラーガーニッシュ８０に組み付けられた時にテザー６０の少なくとも一部を内部に収納するテザー収納部８２を有する。テザー収納部８２の底壁８４には長方形状のテザー挿入孔８６が形成されている。テザー挿入孔８６の長手方向はピラーガーニッシュ８０の長手方向に向けられている。テザー収納部８２は、ピラーガーニッシュ８０の長手方向に一方向に開放された開口８２ａを有する。
【００３８】
テザークリップ１０は可撓性を有する樹脂材からなる。樹脂材は、たとえばポリヘキサメチレンアジポアミドである。ただし、可撓性を有し必要な強度をもつ樹脂材であれば、それ以外の樹脂材であってもよい。
ピラーガーニッシュ８０は、テザークリップ１０と同等か、またはそれよりは硬質のプラスチックからなる。
【００３９】
図２に示すように、テザークリップ１０のピラーガーニッシュ８０への組付構造１は、テザークリップ１０とピラーガーニッシュ８０とを含む。テザークリップ１０のピラーガーニッシュ８０への組付においては、アンカー６２の長手方向とテザー挿入孔８６の長手方向の位相を合わせてアンカー６２をテザー挿入孔８６に通す。さらに、テザークリップ１０をクリップ中心軸線１０ａまわりに９０度回転させた後、アンカー６２がテザー収納部８２の開口８２ａを通してテザー収納部８２外に出る位置まで（図１０）、かつ、テザー収納部８２の底壁８４が係合保持部７０の膨出部７４と座部２４とで挟まれる位置まで、テザー６０をテザー収納部８２内にさらに挿入する。これにより、テザークリップ１０がピラーガーニッシュ８０に組付けられる。
【００４０】
テザークリップ１０がピラーガーニッシュ８０に組み付けられた時に、テザー６０は開口８２ａを通してテザー収納部８２の内側から外側に延び出ており、アンカー６２はテザー収納部８２の外側に位置する。これにより、テザー収納部８２の側壁によって制限されることなく、テザー６０の長さを長くすることができ。
【００４１】
テザークリップ１０が組付けられた状態で脚２０を車両のピラー９０のクリップ取付孔９２（図２）に挿入することにより、ピラーガーニッシュ８０はピラー（フロントピラー）９０に取り付けられる。脚２０の外形はほぼ円形であり、クリップ取付孔９２は円形である。したがって、脚２０はクリップ取付孔９２内でクリップ中心軸線１０ａまわりに回転できる。
【００４２】
テザー６０は、テザー６０の延び方向の途中で曲げられており、テザー６０の曲がり方向はピラーガーニッシュ８０の長手方向と一致されている。車両の側面衝突時またはロールオーバ時などＣＳＡ８８の展開時には、ピラーガーニッシュ８０がテザークリップ１０から抜ける方向に、テザー収納部８２の底壁８４がアンカー６２に当たるまで移動する。そして、展開したピラーガーニッシュ８０’とピラー９０との間にＣＳＡ８８の展開用隙間を形成し、それ以上の移動をアンカー６２によって制限してピラーガーニッシュ８０の飛散を防止する。
【００４３】
ＣＳＡ８８は、ピラー９０とピラーガーニッシュ８０との間の空間に、折り畳まれた状態で収納される。車両衝突時またはロールオーバ時、ＣＳＡ８８が膨張展開され、ピラーガーニッシュ８０をピラー９０から離れる方向（図２の矢印の方向）に押す。ＣＳＡ８８は、インナーパネル９０ａとピラーガーニッシュ８０との間に形成された展開用隙間を通して車室内に、かつ、乗員とサイドドアとの間に展開し、乗員頭部を拘束、保護する。図２で、符号８８’は展開途中のＣＳＡの一部を示す。
【００４４】
テザー６０が延び方向の途中で曲げられていること、およびテザー６０がテザー収納部８２の開口８２ａを通してテザー収納部８２の内側から外側に延び出ていること、およびアンカー６２がテザー収納部８２の外側に位置することにより、テザー長を長くできる。その結果、ＣＳＡ膨張展開時におけるインナーパネル９０ａとピラーガーニッシュ８０との間のＣＳＡ膨張展開用隙間を大きくとることができる。
【００４５】
以下、テザークリップ１０と、テザークリップ１０のピラーガーニッシュ８０への組付構造１の各部を、順に、さらに詳細に説明する。
脚２０は、座部２４と直交する。脚２０の中心軸線はクリップ中心軸線１０ａ（図１０）と一致する。脚２０は、中空である。クリップ中心軸線１０ａと直交する方向における脚２０の断面の外形は、円形、またはほぼ円形である。
【００４６】
クリップ中心軸線１０ａを挟んで互いに対向する中空脚２０の部位に一対の開口部（スリット４２）が設けられ、そこに一対の係止爪３０が設けられる。一対の係止爪３０は、クリップ中心軸線１０ａと直交する方向に、互いに対向している。
【００４７】
係止爪３０は、クリップ軸方向に座部２４から離れた位置にある脚２０との結合部３２から座部２４側に延びる。係止爪３０は、自由端で終わっていてもよい。係止爪３０が自由端で終わっている場合、係止爪３０は結合部３２を除いて逆Ｕ字状のスリット４２により脚２０および座部２４から切り離されている。係止爪３０は複数対あってもよい。本発明では、一対の係止爪３０が設けられている。
【００４８】
スリット４２の座部２４から遠い側の端部の脚軸方向位置と結合部３２の脚軸方向位置とは、脚軸方向において互いに一致する。テザークリップ１０が可撓性を有する樹脂材からなるため、係止爪３０は、クリップ中心軸線１０ａに接近、離反する方向に、すなわち倒れ、起立する方向に、弾性的に回転変形可能である。
【００４９】
係止爪３０は、脚２０の外周面から座部２４側に向かってクリップ中心軸線１０ａからの距離が増大するように傾斜する外側面と、外側面の座部２４側端からクリップ中心軸線１０ａ側に折れ曲がり座部２４に対向するボデー係止面３６を有する。
【００５０】
ピラーガーニッシュ８０に組み付けられたテザークリップ１０をピラー９０に取り付ける際、脚２０をクリップ取付孔９２に挿入していくと、係止爪３０の外側面がクリップ取付孔９２の縁部の内面または内面角部に当たる。それ以上挿入すると、係止爪３０の座部側端が、係止爪３０がクリップ中心軸線１０ａに近づく方向に、脚２０との結合部３２近傍にある回転変形中心かそれより座部２４から離れた側にある仮想回転変形中心まわり回転変形していく。
【００５１】
テザークリップ１０の脚２０には、一対の係止爪３０の対向方向と直交する脚部位に、脚軸方向に延びる長孔からなる変形促進部４４が形成されていてもよい。変形促進部４４は、長孔以外に、脚下端で外部に開放するスリットまたは薄肉部であってもよい。ただし、変形促進部４４は設けられなくてもよい。変形促進部４４が設けられた場合は、変形促進部４４によって、結合部３２および結合部３２に接続する係止爪根元部は、係止爪３０がクリップ取付孔９２縁部から押された時にクリップ中心軸線１０ａ側に撓むことができる。これによって、結合部３２および係止爪根元部は、クリップ取付孔９２の内面の半径より大きくても、クリップ取付孔９２を通過できる。したがって、クリップ取付孔９２への通過性を確保したまま、結合部３２および係止爪根元部の厚みを厚くすることができ、それによって結合部３２および係止爪根元部の剛性を上げることができる。
【００５２】
中空脚２０の内面には、一対の係止爪３０の座部側端から脚の下端までにわたって凹凸が形成されており、この凹凸はクリップ中心軸線１０ａと平行に直線状に延びている。一方の係止爪３０に形成された凹凸の凸部と他方の係止爪３０に形成された凹凸の凹部とは、一対の係止爪３０の対向方向に対向し、一対の係止爪３０が互いに接近する方向に倒れ変形した時に一対の係止爪３０が互いに干渉することを抑制し、係止爪３０の倒れ角を増大させる。
【００５３】
テザークリップ１０は、さらに、ばね座２２を有する。ばね座２２は、座部２４または脚２０の座部２４側端から、座部２４から離れる方向かつクリップ中心軸線１０ａから離れる方向に延びる。ばね座２２は弾性を有する。ばね座２２は、脚２０をピラー９０のクリップ取付孔９２に挿通させた時に、クリップ取付孔９２縁部に当たって弾性圧縮される。ばね座２２は、係止爪３０のボデー係止面３６との間にクリップ取付孔９２縁部を挟み、テザークリップ１０とピラー９０との間の隙間を吸収してテザークリップ１０のグラツキを抑制する。ばね座２２は図示例のようにテザークリップ１０と一体に形成されていてもよいし、テザークリップ１０と別体であってもよい。
【００５４】
テザークリップ１０は、各係止爪３０の座部側への延長部の座部側先端部にクリップ中心軸線１０ａから離れる方向に延びる係止解除部３８を持つタイプのクリップであってもよい。サービス時等においてクリップ１０をピラー９０から外す時には、一対の係止解除部３８を摘んで一対の係止解除部３８が互いに接近する方向に押し、係止爪３０を係止爪３０の回転変形中心まわりに互いに接近する側に倒す。これによって、係止爪３０のボデー係止面３６のピラー９０との掛かりが外れるので、クリップ１０を抜き方向に引っ張ってピラー９０から外すことができる。
【００５５】
係合保持部７０は、脚２０と反対方向に座部２４から立ち上がる。係合保持部７０は、図１０の側面視において、テザー部６０の立ち上がり部６０ａの側方に一対設けられる。一対の係合保持部７０は、テザー曲がり方向面内において、立ち上がり部６０ａを間において立ち上がり部６０ａの側方にある。係合保持部７０は、立ち上がり部６０ａから離れた位置に設けられる。
【００５６】
図２に示すように、係合保持部７０は、テザー挿入孔８６が設けられているテザー収納部底壁８４の厚みとほぼ等しい量だけ座部２４から立ち上がる立ち上がり部７２と、立ち上がり部７２の先端からさらに座部２４から離れる方向に延びるとともに立ち上がり部７２の立ち上がり方向と直交する方向に膨出する膨出部７４を有する。膨出部７４は立ち上がり方向と直交する方向に弾性をもつように中空形状に形成される。膨出部７４の外形寸法は、係合保持部７０の自由状態において、テザー収納部８２の長方形のテザー挿入孔８６の短辺の長さより長い。
【００５７】
テザークリップ１０をピラーガーニッシュ８０に取り付ける時には、係合保持部７０をテザー収納部８２のテザー挿入孔８６に押し込む。この時、膨出部７４が膨出量が低減する方向に弾性変形してテザー挿入孔８６を通り抜け、膨出部７４がテザー収納部８２内に入る。膨出部７４がテザー挿入孔８６を通り抜けると、膨出部７４が元の位置（自由状態の位置）に弾性復帰し、膨出部７４がテザー収納部８２の長方形のテザー挿入孔８６の長辺の縁部と係合し、テザークリップ１０はテザー収納部底壁８４を膨出部７４と座部２４との間に保持する。この状態を維持したまま、テザークリップ１０がピラー９０に取り付けられる。
【００５８】
ＣＳＡ８８の膨張展開時、ＣＳＡ８８によってピラーガーニッシュ８０がピラー９０から離れる方向（図２の矢印方向）に押されると、テザー収納部８２のテザー挿入孔８６の縁部が係合保持部７０の膨出部７４を抜き方向に押し、膨出部７４を膨出量が低減する方向に弾性変形させる。すると、膨出部７４がテザー挿入孔８６を通り抜け、テザー収納部底壁８４が係合保持部７０の膨出部７４から外れる。
【００５９】
その結果、アンカー６２がテザー収納部底壁８４のテザー挿入孔８６の縁部に当たるまで、ピラーガーニッシュ８０はピラー９０から離れる方向に移動され、ピラー９０との間にＣＳＡ８８の膨張展開用隙間を作る。図１７に示すように、アンカー６２がテザー収納部底壁８４のテザー挿入孔８６の縁部に当たると、ピラーガーニッシュ８０はそれ以上ピラー９０から離れる方向に移動できなくなり、ピラーガーニッシュ８０の車室内方向への飛散が防止される。
【００６０】
テザー６０は、１つの平面に沿って延びる。テザー６０は、テザー先端６０ｂ、テザーの座部側端６０ｃ、テザー先端６０ｂとテザー６０の座部側端６０ｃとの間に延びるテザー中間部６０ａとを有する。
【００６１】
図１０に示すように、テザー中間部６０ａは、座部２４から立ち上がる立ち上がり部６０ｄと、立ち上がり部６０ｄに接続しテザー先端６０ｂ側に湾曲する湾曲部６０ｅと、湾曲部６０ｅとテザー先端６０ｂとの間の部分６０ｆと、を有してもよい。立ち上がり部６０ｄは、図１０で実線で示すように座部２４と直交する方向に対してテザー先端６０ｂから遠ざかる方向に傾斜していてもよいし、または、図１０で２点鎖線で示すように座部２４と直交していてもよい。立ち上がり部６０ｄが座部２４から傾斜して立ち上がる場合が第１実施例に対応し、立ち上がり部６０ｄが座部２４に直交して立ち上がる場合が第１実施例の変形例に対応する。第１実施例の変形例は、第１実施例に含まれる。
【００６２】
テザー６０のテザー中間部６０ａには、一対の案内板６４が設けられている。一対の案内板６４は、１つの平面に沿って延び、一対の案内板６４が沿って延びる平面と、テザー６０が沿って延びる平面とは、同じか、または互いに平行である。一対の案内板６４が沿って延びる平面とアンカー６２の長手方向を含む平面とは互いに直交する。一対の案内板６４は、湾曲部６０ｅとテザー先端６０ｂとの間のテザー部分６０ｆを間にして、互いに対向する対向２辺６４ａをもつ。対向２辺６４ａの各辺は直線状に延びている。一対の案内板６４の対向２辺６４ａの、案内板６４が沿って延びる平面と平行な方向の間隔は、テザー先端６０ｂに近づくにつれて広くなっている。案内板６４は、テザー中間部６０ａの湾曲部６０ｅとテザー先端６０ｂとの間のテザー部分６０ｆに一体に設けられている。
【００６３】
テザー部分６０ｆと２辺６４ａとの間の案内板部分は、図示例のように埋まっていてもよいし、または、図示を省略するがくり抜きの空間になっていてもよいし、または、アンカー６２に向かって開放された開放空間になっていてもよい。埋まっている場合は案内板６４は板状体からなる。くり抜きの空間である場合は案内板６４は中抜き枠体からなる。開放空間になっている場合は案内板６４はテザー部分６０ｆからアンカー６２に向かって斜めに延びる一対の棒状体からなる。
【００６４】
案内板６４が板状体または枠体からなる場合、案内板６４は、テザー中間部６０ａの湾曲部６０ｅとテザー先端６０ｂとの間の部分６０ｆに直交するかまたはほぼ直交する方向に延びる底辺６４ｂと、底辺６４ｂと２辺６４ａとを結ぶ湾曲部６４ｃと、をさらに有していてもよい。底辺６４ｂが部分６０ｆに直交する場合は、２辺６４ａおよびその延長と底辺６４ｂとは三角形を形成する。底辺６４ｂはテザー中間部６０ａの部分６０ｆと斜めに交わってもよく、その場合は一対の案内板はほぼ四辺形となる。また、図１８、図１９に示すように、一対の案内板６４のそれぞれの底辺６４ｂは、アンカー６２に向かって突出する突部６４ｄ、またはアンカー６２に向かって凹となる凹部６４ｅ、または突部６４ｄと凹部６４ｅの両方、を有してもよい。
【００６５】
テザークリップのピラーガーニッシュへの組付構造１において、長方形状のテザー挿入孔８６と長方形状のアンカー６２の形状寸法関係はつぎのように設定されることが望ましい。すなわち、テザー挿入孔８６の長辺はアンカー６２の長辺より長い。また、テザー挿入孔８６の短辺はアンカー６２の長辺より短く、かつアンカー６２の短辺より長い。その結果、アンカー６２の長手方向とテザー挿入孔８６の長手方向との位相が合えばアンカー６２はテザー挿入孔８６を挿通可能であるが、アンカー６２の長手方向とテザー挿入孔８６の長手方向が９０度か９０度近くになれば、アンカー６２はテザー挿入孔８６を挿通不能である。
【００６６】
テザークリップ１０のピラーガーニッシュ８０への組付時には、アンカー６２とテザー挿入孔８６の位相を合わせてアンカー６２をテザー挿入孔８６に通す。アンカー６２をテザー挿入孔８６に通した後、テザークリップ１０をクリップ中心軸線１０ａまわりに９０度回転させ、アンカー６２がテザー挿入孔８６を挿通できないようにしてテザークリップ１０をピラーガーニッシュ８０にセットする。ついで、テザークリップ１０の脚２０をピラー９０のクリップ取付孔９２に押し込むことにより、ピラーガーニッシュ８０をピラー９０に取り付ける。ＣＳＡ８８展開時には、ピラーガーニッシュ８０がテザークリップ１０から抜ける方向（ピラー９０から離れる方向と同じ）に移動する時に、アンカー６２がテザー収納部底壁８４のテザー挿入孔８６縁部に当たるまではピラーガーニッシュ８０の移動が許され、ピラーガーニッシュ８０とピラー９０との間にＣＳＡ膨張展開用隙間が形成される。しかし、アンカー６２がテザー挿入孔８６の縁部に当たるとそれ以上のピラーガーニッシュ８０の移動が拘束され、ピラーガーニッシュ８０の飛散が防止される。
【００６７】
また、テザークリップのピラーガーニッシュへの組付構造１において、テザー挿入孔８６と案内板６４との形状関係はつぎのように設定される。すなわち、テザー挿入孔８６の長辺は、案内板６４の対向２辺６４ａの最大間隔より長い。これにより、アンカー６２をテザー挿入孔８６に通した後、テザークリップ１０をクリップ中心軸線１０ａまわりに９０度回転させて案内板６４を含む面とテザー挿入孔８６の長手方向の位相を合わせた時には、案内板６４はテザー挿入孔８６を挿通可能である。したがって、テザー６０をより深くテザー収納部８２に挿入していきテザークリップ１０をピラーガーニッシュ８０に組付完了できる。組付完了状態では、案内板６４は、少なくとも対向２辺６４ａの部位がテザー収納部８２内に位置することが望ましい。案内板６４の湾曲部６４ｃや底辺６４ｂはテザー収納部８２外に突出していてもよい。この状態でテザークリップ１０がピラーガーニッシュ８０にセットされる。
【００６８】
図８に示すように、ＣＳＡ膨張展開時にＣＳＡ８８からの荷重を受けてピラーガーニッシュがピラーから離れる方向にかつＣＳＡ８８側が反ＣＳＡ側より多く開くように回転しながら移動する時、テザー６０が曲がっているので、テザークリップ１０がクリップ中心軸線１０ａまわりに回転する。より詳しくは、立ち上がり部６０ｄがクリップ中心軸線１０ａよりもアンカー６２と反対側に傾斜しながら立ち上がっている時、図９、図１０に示すＳＴＥＰ−１では、テザー挿入孔８６縁部が立ち上がり部６０ｄにクリップ中心軸線１０ａよりアンカー６２と反対側にＳ量（図１０）だけ隔たった部位ａで当たる。そのため、図９においてテザー６０はクリップ中心軸線１０ａまわりに左まわり（反時計まわり）方向Ｌに回転する。ピラーガーニッシュ８０がテザークリップ１０から抜ける方向にさらに移動したＳＴＥＰ−２、３では、図１１に示すように、クリップ中心軸線１０ａよりＳ1 量だけ隔たった部位ｂがクリップ中心軸線１０ａに対してまだアンカー６２と反対側にある。そのため、テザー６０のクリップ中心軸線１０ａまわりの回転は左まわり（反時計まわり）方向Ｌのままである。
【００６９】
テザー挿入孔８６の短辺は、一対の案内板６４の２辺６４ａの最大間隔より短い。これにより、ＣＳＡ膨張展開時にピラーガーニッシュ８０がピラー９０から離れる方向に移動し、案内板６４がテザー収納部８２内からテザー挿入孔８６内に進入する時、テザークリップ１０がクリップ中心軸線１０ａまわりに回転すると、図１２、図１３に示すＳＴＥＰ−４で、案内板６４の対向２辺６４ａがテザー挿入孔８６の長手方向辺の縁部に当たり、それ以上の、テザークリップ１０のクリップ中心軸線１０ａまわりの回転が止められる。この時、当たり点ｃはクリップ中心軸線１０ａよりアンカー６２側にＳ2 量だけ隔たった位置にある。したがって、テザー６０はクリップ中心軸線１０ａまわりに右まわり（時計まわり）方向Ｒに回転するようになる。
【００７０】
ピラーガーニッシュ８０がピラーから離れる方向にさらに移動すると、案内板６４がテザー挿入孔８６内への進入量が増える。それにつれて増える対向２辺６４ａの間隔がテザー挿入孔８６の長辺間の間隔に規制されるため、図１４、図１５に示すＳＴＥＰ−５のように、テザー６０のクリップ中心軸線１０ａまわりの右まわり（時計まわり）方向Ｒの回転量が０度近くになるように規制される。このため、テザークリップ１０のクリップ中心軸線１０ａまわりの回転を０度近くにまで戻すことができる。図４、図５は、テザークリップ１０のクリップ中心軸線１０ａまわりの回転が０度近くにまで戻される状態を示している。
【００７１】
つぎに、本発明の第１実施例に係るテザークリップ１０、およびテザークリップのピラーガーニッシュへの組付構造１の効果、とくに、案内板６４の効果を説明する。
ピラーガーニッシュ８０がテザークリップ１０から抜ける方向に移動する時、テザー６０がピラーガーニッシュにより押されてテザークリップ１０がクリップ中心軸線１０ａまわりに回転する場合がある。とくにテザー中間部６０ａがクリップ中心軸線１０ａからオフセットしている部分を有する場合は、テザー挿入孔８６の縁部で押された時に、図８、図９に示すように左まわり（反時計まわり）方向Ｌに回転したり、図１２、図１３に示すように右まわり（時計まわり）方向Ｒに回転したりする。
【００７２】
しかし、テザー６０に案内板６４が設けられているので、案内板６４がテザー挿入孔８６まで来た時に、図４、図５、図１３に示すように、テザー６０がクリップ中心軸線１０ａまわりに９０度近く回転する前に案内板６４の２辺６４ａがテザー挿入孔８６縁部に当たる。これによって、それ以上にテザー６０がクリップ中心軸線１０ａまわりに回転することが防止される。
【００７３】
回転が止められた状態からさらにピラーガーニッシュ８０がテザークリップ１０から抜ける方向に移動すると、図４、図５に示すように、テザー先端６０ｂに近づくにつれて広くなる案内板６４の２辺６４ａの間隔がテザー挿入孔縁部の間隔となるように、案内板６４の２辺６４ａがテザー挿入孔８６縁部によって押され、テザー６０のクリップ中心軸線１０ａまわりの回転角度が０度近くに戻される。
【００７４】
これによって、ＣＳＡ膨張展開時にピラーガーニッシュ８０がテザークリップ１０から抜ける方向に移動する途中において、アンカー６２の長手方向とテザー挿入孔８６の長手方向との直交性が保たれる。そのため、アンカー６２がテザー収納部底壁８４に当たった時に、アンカー６２の長手方向とテザー挿入孔８６の長手方向とが一致してアンカー６２がテザー挿入孔８６をすり抜けることが防止される。したがって、ピラーガーニッシュ８０が飛散することが防止される。
以上述べた本発明の第１実施例に係るテザークリップ１０、およびテザークリップのピラーガーニッシュへの組付構造１の構成および効果、とくに、案内板６４と対向２辺６４ａに係る構成および効果は、本発明の第２、第３実施例にも適用可能である。
【００７５】
本発明の第１実施例は、さらにつぎの構成および効果、とくに、弾性片６６に係る構成および効果を有してもよい。
案内板６４付きテザークリップ１０をピラーガーニッシュ８０に組付け可能とするには、アンカー６２をテザー挿入孔８６に通した後テザー６０を９０度回転させるために、アンカー６２がテザー収納部底壁８４と平行な状態において案内板６４のアンカー側先端とアンカー６２との間にテザー収納部底壁８４の厚み以上の間隔が設けられることが必要である。しかし、ＣＳＡ膨張展開時に案内板６４のアンカー側先端とアンカー６２との間隔部位がテザー収納部底壁８４のテザー挿入孔８６位置に来ると、案内板６６による回転防止が効かないため、ＣＳＡ膨張展開時にテザー６０がクリップ中心軸線１０ａまわりに回転するおそれがある。これを防止するためには、テザー６０は案内板６４のアンカー側先端とアンカー６２との間に、テザー６０のクリップ中心軸線１０ａまわりの回転、またはテザー６０のテザー収納部底壁８４に対する回転を止める、回り止め構造を持つ必要がある。
【００７６】
この回り止めのために、本発明の第１実施例では、案内板６４とアンカー６２との間のテザー部分６０ｇに、該テザー部分６０ｇを間において一対の弾性片６６が設けられている。各弾性片６６は、案内板６４とアンカー６２との間のテザー部分６０ｇから案内板６４と同じ面に沿って延びる。したがって、一対の弾性片６６は、アンカー６２の長手方向と直交する面に沿う方向に延びる。テザー６０の延びる方向と平行方向にかつアンカー６２側から見た時の一対の弾性片６６の形状は長方形である。
【００７７】
弾性片６６の形状とテザー挿入孔８６の形状との関係はつぎのように設定される。すなわち、テザー挿入孔８６の長辺は、一対の弾性片６６の長方形の長辺より長く、テザー挿入孔８６の短辺は一対の弾性片６６の長方形の短辺より長い。これにより、一対の弾性片６６の長手方向とテザー挿入孔８６の長手方向の位相を合わすことにより、一対の弾性片６６をテザー挿入孔８６に通すことができる。
【００７８】
弾性片６６は、案内板６４とアンカー６２との間のテザー部分６０ｇの、アンカー６２からテザー収納部底壁８４のテザー挿入孔縁部の厚み分以上隔たった部位から分岐して、テザー部分６０ｇから離れる方向かつアンカー６２に向かう方向に、湾曲しながらまたは直線状に延び、アンカー６２の手前で終わっている。
【００７９】
テザークリップ１０のピラーガーニッシュ８０への組付時には、アンカー６２の長手方向とテザー挿入孔８６の長手方向の位相を合わせてアンカー６２をテザー挿入孔８６に挿通させる。この時、テザー挿入孔８６の長手方向と直交する方向に延びている弾性片６６をテザー収納部底壁８４の外面に押しつけて弾性片６６を平らにすることにより、テザー６０を９０度回転させることができる。
【００８０】
弾性片６６の効果は、つぎのとおりである。
テザークリップ１０のピラーガーニッシュ８０への組付時に、テザー挿入孔８６縁部を案内板６４とアンカー６２との間に位置させてテザークリップ１０をピラーガーニッシュ８０に対して９０度回転させるので、案内板６４とアンカー６２との間には間隔が設けられる。ＣＳＡ８８展開時にピラーガーニッシュ８０がテザークリップ１０から抜ける方向に移動してアンカー６２がテザー収納部底壁内面に当たった時には、テザー挿入孔縁部が、丁度、案内板６４とアンカー６２との間に来ている。そのため、案内板６４によるテザー６０の回転防止が効かず、テザー６０がテザー挿入孔８６に対して回転するおそれがある。
【００８１】
しかし、弾性片６６が設けられていることにより、アンカー６２がテザー収納部底壁の内面に当たった時、弾性片６６がテザー挿入孔８６内に進入しているので、弾性片６６によってテザー６０のテザー挿入孔８６に対する回転が防止される。これによって、アンカー６２がテザー収納部底壁８４の内面に当たった時においても、アンカー６２の長手方向とテザー挿入孔８６の長手方向との直交性が保たれ、アンカー６２がテザー挿入孔８６をすり抜けることが防止される。
【００８２】
案内板６４の効果と弾性片６６の効果の相違はつぎのとおりである。
案内板６４は、ＣＳＡ膨張展開時にピラーガーニッシュ８０がテザークリップ１０から抜ける方向に移動する途中においてテザー６０がクリップ中心軸線１０ａまわりに９０度近くまで回転することを防止する。また、案内板６４は、９０度近くまで回転したテザー６０の回転量を０度近くまでに戻すように働く。
【００８３】
これに対し、弾性片６６は、ＣＳＡ膨張展開時ピラーガーニッシュ８０がテザークリップ１０から抜ける方向に移動してアンカー６２がテザー挿入孔周縁部に当たった時、すなわち案内板６４の回転防止効果が効かない時に、テザー６０のクリップ中心軸線１０ａまわりの回転と、アンカ６２のテザー挿入孔８６に対する回転とを防止する。
【００８４】
〔第２実施例〕
つぎに、本発明の第２実施例に係るテザークリップ１０、およびテザークリップのピラーガーニッシュへの組付構造１の構成と効果を図１８、図１９、図２２および図２３を参照して説明する。
本発明の第１実施例に係る構成と効果のうち本発明の第２実施例にも適用可能であるとした部分、とくに案内板６４の構成と効果は、本発明の第２実施例にも適用される。
以下では、本発明の第２実施例の構成、効果のうち、本発明の第１実施例の構成、効果と異なる部分を主に説明する。
【００８５】
まず、本発明の第２実施例の構成を説明する。
本発明の第２実施例では、テザー６０のテザー中間部６０ａに設けられた一対の案内板６４には、案内板６４のアンカー６２に対向する部位に、アンカー６２に向かう方向に突出する突部６４ｄが形成されている。
各案内板６４に１つの突部６４ｄが設けられ、一対の案内板６４には一対の突部６４ｄが設けられる。一対の突部６４ｄの何れか一方がテザー収納部８２の底壁８４のテザー挿入孔８６に突入すると、テザー６０はクリップ中心軸線１０ａまわりの回転を止められ、かつ、テザー収納部８２の底壁８４に対する回転を止められる。したがって、突部６４ｄはテザー６０のクリップ中心軸線１０ａまわりの回り止めと回転テザー６０のテザー収納部底壁８４に対する回り止めとして働く。
第２実施例では、突部６４ｄが設けられるので、第１実施例で回り止めの機能を果たした弾性片６６は設けられない。
【００８６】
一対の突部６４ｄのテザー中間部６０ａから遠い側の外面は、案内板６４の対向２辺６４ａの延長直線上に延びている。また、突部６４ｄの先端は、図１８に示すように、丸められている。一対の突部６４ｄは、案内板６４が設けられるテザー部分６０ｆの中心線を対称の中心として、互いに対称である。
【００８７】
一対の突部６４ｄの外面を案内板６４の対向２辺６４ａの延長直線上に延ばす理由は、ＣＳＡ膨張展開時に、テザー収納部底壁８４のテザー挿入孔縁部が案内板６４の対向２辺６４ａから一対の突部６４ｄの外面に円滑に摺動して移動することを可能にするためである。
また、テザー収納部８２の底壁８４が案内板６４の対向２辺６４ａから一対の突部６４ｄの外面に移動しても、一対の突部６４ｄの外面が、案内板６４の対向２辺６４ａによる、テザーのクリップ中心軸線１０ａまわりの回転角度を０度近くに戻す効果を継続し、より一層果たすからである。
【００８８】
案内板６４と突部６４ｄは、テザー６０が沿って延びる平面と直交する方向における厚さは、同じかまたはほぼ同じとされている。案内板６４と突部６４ｄを、同じ厚さかまたはほぼ同じ厚さとすることにより、テザー６０が沿って延びる平面と直交する方向における、突部６４ｄの曲げ剛性を、案内板６４の曲げ剛性と同程度に高くできる。
【００８９】
案内板６４の突部６４ｄのアンカー側先端とアンカー６２との間には、テザー収納部８２の底壁８４の厚さより大で、テザーの先端６０ｂの中心線がテザー収納部８２の底壁８４に直交する線から傾いた時に一対の案内板６４の少なくとも一方の突部６４ｄをテザー挿入孔８６に突入させる間隔が設けられている。
【００９０】
この結果、図１８に示すように、テザーの先端６０ｂの中心線がテザー収納部８２の底壁８４と直交し、かつ、アンカー６２の案内板側表面がテザー収納部８２の底壁８４の内側面に密着している状態で、案内板６４の突部６４ｄのアンカー側先端とテザー収納部８２の底壁８４の外側面との間には、僅かな間隔（ギャップ）Ｇが形成される。
【００９１】
案内板６４の突部６４ｄのアンカー側先端とアンカー６２との間隔をテザー収納部８２の底壁８４の厚さより大とする理由は、テザークリップ１０をピラーガーニッシュ８０のテザー収納部８２に組み付ける際、アンカー６２の長手方向をテザー挿入孔８６の長手方向に合わせてアンカー６２をテザー挿入孔８６に挿通した後に、アンカー６２をテザーの先端部の中心軸線まわりに９０度回転させることを可能にするためである。アンカー６２をテザーの先端部の中心軸線まわりに９０度回転させることによって、一対の案内板６４をテザー挿入孔８６に挿通させてテザー収納部８２内に挿入していくことができる。
【００９２】
また、間隔Ｇを僅かな量とする理由は、ＣＳＡ８８の膨張展開時に、テザー６０がほぼ直線状に伸ばされ、かつ、テザー収納部８２の底壁８４がアンカー６２に当たった時、直線状に伸ばされたテザー６０の湾曲への弾性復元力によりテザー部分６０ｇがテザー収納部８２の底壁８４に直交する方向から傾いた時に、一対の案内板６４の一方に形成された突部６４ｄがテザー挿入孔８６に確実に進入して回り止めを果たすことができるようにするためである。
【００９３】
また、一対の案内板６４の各々のアンカー６２に対向する部位には、突部６４ｄよりテザー中間部６０ａ側に、突部６４ｄの先端よりもアンカー６２から遠ざかる方向に凹む凹部６４ｅが形成されている。
【００９４】
本発明の第２実施例に係るテザークリップのピラーガーニッシュへの組付構造１においては、図２２および図２３に示すように、テザー収納部８２の底壁８４の外面（ピラー９０に対向する面）に、案内板６４の突部６４ｄが引っ掛かることができ、突部６４ｄが引っ掛かった時にテザー６０のテザー収納部底壁８４に対する回転を止める回り止め８４ａが設けられている。
【００９５】
回り止め８４ａは、テザー収納部底壁８４の外側面のうち、テザー挿入孔８６の一端とテザー収納部８２の開口８２ａ側端との間に設けられている。回り止め８４ａは、テザー収納部底壁８４の外面から外側に（ピラー９０に向かう方向に）突出しており、中央に案内板６４の突部６４ｄを受け入れ可能な幅をもつ溝８４ｂを有している。この溝８４ｂの中心線とテザー挿入孔８６の長手方向中心線とは一致している。
【００９６】
ＣＳＡ８８の膨張展開時にアンカー６２がテザー収納部底壁８４に当たった時には、図１８に示すように、一対の案内板６４の一方の突部６４ｄがテザー挿入孔８６に突入し、一対の案内板６４の他方の突部６４ｄがテザー挿入孔８６から外れる。しかし、図２２および図２３に示すように、テザー挿入孔８６から外れた方の突部６４ｄは、回り止め８４ａに引っ掛かる。
【００９７】
つぎに、本発明の第２実施例の効果を説明する。
案内板６４に突部６４ｄが設けられているので、本発明の第１実施例で述べた弾性片６６を設けなくても、ＣＳＡ膨張展開時における、テザー６０のクリップ中心軸線１０ａまわりの回転と、テザー６０のテザー収納部底壁８４に対する回転が防止される。
【００９８】
より詳しくは、ＣＳＡ膨張展開時には、テザー６０のテザー収納部底壁８４に対する回転が案内板６４によって規制されつつ、ピラーガーニシュ８０がピラー９０から離れる方向に移動していく。案内板６４に突部６４ｄが設けられているので、突部６４ｄが案内板６４に引き続いてテザー挿入孔８６内に進入し、突部６４ｄによって、テザー６０のクリップ中心軸線１０ａまわりの回転と、テザー６０のテザー収納部底壁８４に対する回転が規制される。
【００９９】
また、テザー６０がテザー中間部６０ａで、たとえば湾曲部６０ｅで曲がっているので、ピラーガーニシュ８０がテザー６０の曲がりを反曲がり方向に矯正しつつピラー９０から離れる方向に移動しても、テザー６０には曲がり方向に弾性復元力が働き、一対の案内板６４がテザー収納部底壁８４に対して傾く。これによって、２つの突部６４ｄの１つがテザー挿入孔８６内に進入し、テザー６０のクリップ中心軸線１０ａまわりの回転と、テザー６０のテザー収納部底壁８４に対する回転を防止する。
【０１００】
また、突部６４ｄとアンカー６２との間の間隔Ｇが僅かな量に設定したので、テザー６０の先端の中心線がテザー収納部底壁８４に直交する線から傾いた時、その傾き量が小さくても、突部６４ｄをテザー挿入孔８６に突入させることができる。
【０１０１】
また、突部６４ｄとアンカー６２との間の間隔を、テザー収納部底壁８４の厚さより大としたので、テザー６０をテザー収納部８２に組み付けることができる。組み付けにおいては、アンカー６２をテザー挿入孔８６に通してテザー収納部８２内に入れた後、テザー６０の先端の中心線をテザー収納部底壁８４に対して直交させた状態でテザー６０をテザー先端の中心線まわりに９０度回転させる。回転後、案内板６４をテザー挿入孔８６に通してテザー収納部８２に入れる。
【０１０２】
また、案内板６４の、突部６４ｄよりテザー中間部６０ａ側に凹部６４ｅを設けたので、突部６４ｄよりテザー中間部６０ａ側の案内板部分の肉厚部位の、成形途中における材料の引けとそれによる突部６４ｄの変形を抑制することができ、突部６４ｄの形状精度を高めることができる。
【０１０３】
テザー収納部８２の底壁８４の外面に、回り止め８４ａが設けられた場合、一対の突部６４ｄの一方はテザー挿入孔８６に進入し、一対の突部６４ｄの他方はテザー収納部底壁８４の回り止め８４ａに引っ掛かかるので、テザー６０はテザー収納部底壁８４に対して確実に回り止めされる。
【０１０４】
〔第３実施例〕
つぎに、本発明の第３実施例に係るテザークリップ１０、およびテザークリップのピラーガーニッシュへの組付構造１の構成と効果を図２０、図２１を参照して説明する。
【０１０５】
本発明の第１実施例に係る構成と効果のうち本発明の第３実施例にも適用されるかまたは適用可能とした部分、とくに案内板６４の構成、効果は、本発明の第３実施例に適用される。
また、本発明の第２実施例に係る構成と効果のうち本発明の第３実施例にも適用されるかまたは適用可能とした部分、とくに突部６４ｄの構成、効果は、本発明の第３実施例に適用されてもよいし、あるいは適用されなくてもよい。
以下では、本発明の第３実施例の構成、効果のうち、本発明の第１実施例および第２実施例の構成、効果と異なる部分を主に説明する。
【０１０６】
まず、本発明の第３実施例の構成を説明する。
本発明の第３実施例では、テザー中間部６０ａは、座部側端６０ｃから上方かつアンカー６２から遠ざかる方向に延びる第１の部分６０ｈと、第１の部分６０ｈの上端から上方かつアンカー６２に向かう方向に延びる第２の部分６０ｉと、第２の部分６０ｉの上端から下方かつアンカー６２に向かう方向に延びる第３の部分６０ｊと、第３の部分６０ｊの下端から上方かつアンカー６２に向かう方向にテザーの先端６０ｂまで延びる第４の部分６０ｋと、を有している。
【０１０７】
第１の部分６０ｈ、第２の部分６０ｉ、第３の部分６０ｊ、および第４の部分６０ｋは、各々、湾曲状に延びていてもよいし、直線状に延びていてもよいし、または一部が湾曲状に残りの部分が直線状に延びていてもよい。第１の部分６０ｈ、第２の部分６０ｉ、第３の部分６０ｊ、および第４の部分６０ｋの接続部は、湾曲状に滑らかに接続していてもよいし、あるいは、折れ線状に接続していてもよい。
【０１０８】
図２０に示すように、テザー中間部６０ａは、テザー６０が沿う平面に沿って左右および上下に屈曲している。これにより、テザー６０の長さは長くなる。第３実施例のテザー６０の長さは、本発明の第１実施例および第２実施例におけるテザー６０の長さより長い。
【０１０９】
テザー中間部６０ａの第１の部分６０ｈ、第２の部分６０ｉ、第３の部分６０ｊの少なくとも１つに、望ましくは第３の部分６０ｊに、第２の案内板７６と第３の案内板７８の少なくとも一方が設けられている。第２の案内板７６と第３の案内板７８は、テザー６０が延びる１つの平面に沿って延び、かつ、テザー中間部６０ａを挟んで互いに反対側に延びる。一対の案内板６４はテザー中間部６０ａの第４の部分６０ｋに設けられている。
【０１１０】
図２０、図２１は、第３の部分６０ｊに、第２の案内板７６と第３の案内板７８が設けられる場合を示している。ＣＳＡ８８の膨張展開時には、テザー６０が湾曲状態からほぼ直線状態に伸ばされながら、ピラーガーニッシュ８０がテザークリップ１０から抜けていく。この時、図２０に示すように、まず、第２の案内板７６がテザー収納部底壁８４のテザー挿入孔８６に掛かり、ついで、第３の案内板７８がテザー収納部底壁８４のテザー挿入孔８６に掛かり、最後に一対の案内板６４がテザー収納部底壁８４のテザー挿入孔８６に掛かる。一対の案内板６４に突部６４ｄが設けられる場合には、一対の案内板６４の突部６４ｄ以外の部分がテザー収納部底壁８４のテザー挿入孔８６から外れても、一対の突部６４ｄの一方がテザー収納部底壁８４のテザー挿入孔８６に掛かる。これによって、テザー６０の長さを長くしたにもかかわらず、ほとんど常に、クリップ中心軸線１０ａ回りのテザー６０の回転およびテザー収納部底壁８４に対するテザー６０の回転が抑制される。
【０１１１】
第２の案内板７６と第３の案内板７８の少なくとも一方は（第２の案内板７６と第３の案内板７８の両方が設けられる場合は、第２の案内板７６と第３の案内板７８の各々は）、第４の部分６０ｋに設けられた案内板６４と、テザー中間部６０ａの延び方向に沿う方向に、非連続である。これによって、第２の案内板７６と第３の案内板７８の少なくとも一方と（第２の案内板７６と第３の案内板７８の両方が設けられる場合は、第２の案内板７６と第３の案内板７８の各々と）、一対の案内板６４との間のテザー部分は柔軟であり、可撓である。
【０１１２】
つぎに、本発明の第３実施例の効果を説明する。
テザー中間部６０ａが、第１の部分６０ｈ、第２の部分６０ｉ、第３の部分６０ｊおよび第４の部分６０ｋを有するので、テザー６０を図２０で左右および上下方向に湾曲させることができ、テザー長を長くできる。その結果、ＣＳＡ膨張展開の際のピラー９０からのピラーガーニッシュ８０の開き量を大きくでき、ＣＳＡ８８を容易かつ確実に膨張、展開させることができる。
【０１１３】
また、テザー中間部６０ａの、第１の部分６０ｈ、第２の部分６０ｉおよび第３の部分６０ｊの少なくとも１つに第２、第３の案内板７６、７８の少なくとも一方を設けたので、テザー６０を長くしたにもかかわらず、一対の案内板６４がテザー挿通孔８６に掛かる前から、第２、第３の案内板７６、７８の少なくとも一方がテザー挿通孔８６に掛かり、クリップ中心軸線１０ａ回りのテザー６０の回転を防止できる。
【０１１４】
また、第２、第３の案内板７６、７８が一対の案内板６４と非連続であるため、第２、第３の案内板７６、７８を設けたにもかかわらず、テザー６０の柔軟性が確保される。その結果、テザー６０を長くした効果、すなわち、ＣＳＡ膨張展開時際におけるピラー９０からのピラーガーニッシュ８０の開き量を大きくできるという効果が確実に得られる。
【図１】
2016017539.tif 000003
【図２】
2016017539.tif 000004
【図３】
2016017539.tif 000005
【図４】
2016017539.tif 000006
【図５】
2016017539.tif 000007
【図６】
2016017539.tif 000008
【図７】
2016017539.tif 000009
【図８】
2016017539.tif 000010
【図９】
2016017539.tif 000011
【図１０】
2016017539.tif 000012
【図１１】
2016017539.tif 000013
【図１２】
2016017539.tif 000014
【図１３】
2016017539.tif 000015
【図１４】
2016017539.tif 000016
【図１５】
2016017539.tif 000017
【図１６】
2016017539.tif 000018
【図１７】
2016017539.tif 000019
【図１８】
2016017539.tif 000020
【図１９】
2016017539.tif 000021
【図２０】
2016017539.tif 000022
【図２１】
2016017539.tif 000023
【図２２】
2016017539.tif 000024
【図２３】
2016017539.tif 000025
【手続補正書】
【提出日】平成28年5月6日(2016.5.6)
【手続補正１】
【補正対象書類名】特許請求の範囲
【補正対象項目名】全文
【補正方法】変更
【補正の内容】
【特許請求の範囲】
【請求項１】
テザー挿入孔が設けられた底壁をもつテザー収納部を有するピラーガーニッシュに組み付けられ、
先端および座部側端並びにテザー中間部を有し１つの平面に沿う方向に延びるテザーと、テザーの先端に接続され前記１つの平面と直交する方向に延びるアンカーと、を有するテザークリップであって、
テザー中間部に、前記１つの平面に沿う方向に延び、テザー中間部から離れる方向でかつ互いに反対方向に延びる一対の案内板が設けられており、
該一対の案内板はテザー中間部のうち一対の案内板が設けられる部分を間にして互いに対向する対向２辺を有し、該対向２辺の間隔はテザーの先端に近づくにつれて広くなっており、
各案内板のアンカー側先端とアンカーとの間にはテザー収納部の底壁の厚さより大の間隔が設けられているテザークリップ。
【請求項２】
案内板とアンカーとの間のテザー部分に弾性片が設けられており、弾性片は、前記１つの平面に沿う方向に、案内板とアンカーとの間のテザー部分から離れる方向かつアンカーに近づく方向に延びる請求項１記載のテザークリップ。
【請求項３】
一対の案内板には、案内板のアンカーに対向する部位に、アンカーに向かう方向に突出する突部が形成されている請求項１記載のテザークリップ。
【請求項４】
案内板の突部のアンカー側先端とアンカーとの間には、テザー収納部の底壁の厚さより大で、テザーの先端の中心線がテザー収納部の底壁に直交する線から傾いた時に案内板の突部をテザー挿入孔に突入させる間隔が設けられている請求項３記載のテザークリップ。
【請求項５】
一対の案内板のアンカーに対向する部位には、突部よりテザー中間部側に、突部の先端よりもアンカーから遠ざかる方向に凹む凹部が形成されている請求項３記載のテザークリップ。
【請求項６】
テザー中間部は座部側端から上方かつアンカーから遠ざかる方向に延びる第１の部分と、第１の部分の上端から上方かつアンカーに向かう方向に延びる第２の部分と、第２の部分の上端から下方かつアンカーに向かう方向に延びる第３の部分と、第３の部分の下端から上方かつアンカーに向かう方向にテザーの先端まで延びる第４の部分と、を有している請求項３記載のテザークリップ。
【請求項７】
テザー中間部の第１の部分、第２の部分および第３の部分の少なくとも１つに、前記１つの平面に沿って、かつ、テザー中間部を挟んで互いに反対側に延びる第２の案内板と第３の案内板の少なくとも一方が設けられており、テザー中間部の第４の部分に、前記一対の案内板が設けられている請求項６記載のテザークリップ。
【請求項８】
第２の案内板と第３の案内板の少なくとも一方は第４の部分に設けられた案内板と、テザー中間部の延び方向に沿う方向に、非連続である請求項６記載のテザークリップ。
【請求項９】
テザー中間部は座部側端から上方かつアンカーから遠ざかる方向に延びる第１の部分と、第１の部分の上端から上方かつアンカーに向かう方向に延びる第２の部分と、第２の部分の上端から下方かつアンカーに向かう方向に延びる第３の部分と、第３の部分の下端から上方かつアンカーに向かう方向にテザーの先端まで延びる第４の部分と、を有している請求項１記載のテザークリップ。
【請求項１０】
テザー中間部の第１の部分、第２の部分および第３の部分の少なくとも１つに、前記１つの平面に沿って、かつ、テザー中間部を挟んで互いに反対側に延びる第２の案内板と第３の案内板の少なくとも一方が設けられており、テザー中間部の第４の部分に、前記一対の案内板が設けられている請求項９記載のテザークリップ。
【請求項１１】
第２の案内板と第３の案内板の少なくとも一方は第４の部分に設けられた案内板と、テザー中間部の延び方向に沿う方向に、非連続である請求項１０記載のテザークリップ。
【請求項１２】
長方形状のアンカーを有する請求項１、請求項２、請求項３−請求項５、請求項６−請求項８、および請求項９−請求項１１の何れか１項に記載のテザークリップと、
長方形状のテザー挿入孔が設けられた底壁をもつテザー収納部を有し、前記テザークリップがテザーの延び方向をピラーガーニッシュ長手方向に向けて組付けられるピラーガーニッシュと、
を備え、
テザー挿入孔の長辺は案内板の対向２辺の最大間隔より長く、
テザー挿入孔の短辺は案内板の対向２辺の最大間隔より短い、テザークリップのピラーガーニッシュへの組付構造。
【請求項１３】
テザー収納部はピラーガーニッシュ長手方向に開放された開口を有しており、
テザークリップをピラーガーニッシュに組み付けた状態において、テザーはテザー収納部の内側から外側に延び出ており、アンカーはテザー収納部の外側に位置している請求項１２記載のテザークリップのピラーガーニッシュへの組付構造。
【請求項１４】
一対の案内板には、案内板のアンカーに対向する部位に、アンカーに向かう方向に突出する突部が形成されており、
テザー収納部の底壁の外面に、案内板の突部が引っ掛かることができ、突部が引っ掛かった時にテザー収納部の底壁に対するテザーの回転を止める回り止めが設けられている請求項１２記載のテザークリップのピラーガーニッシュへの組付構造。
【手続補正書】
【提出日】平成28年12月14日(2016.12.14)
【手続補正１】
【補正対象書類名】明細書
【補正対象項目名】全文
【補正方法】変更
【補正の内容】
【発明の詳細な説明】
【技術分野】
【０００１】
本発明は、テザークリップと、テザークリップのピラーガーニッシュへの組付構造（「組付構造」は「組付装置」といってもよい）に関する。
【背景技術】
【０００２】
特許文献１は、従来のテザークリップと、テザークリップのピラーガーニッシュへの組付構造を開示している。
テザークリップは、フロントピラーガーニッシュ（以下、単に「ピラーガーニッシュ」ともいう）に組付けられ、テザークリップが組付けられたピラーガーニッシュを車両ボデーのフロントピラー（以下、単にピラーともいう）に取り付けるのに用いられる。テザークリップは、カーテンエアバッグ（以下、ＣＳＡともいう。ＣＳＡはCurtain Shield Airbag の略である。) の展開時に、ピラーガーニッシュのピラーから離れる方向への移動をテザークリップのアンカーがピラーガーニッシュのテザー収納部に設けられたテザークリップ挿入孔（以下、単に「テザー挿入孔」ともいう）の周縁部に当たるところまで許してピラーガーニッシュとピラーとの間にＣＳＡ膨張展開用の隙間を作り、それ以上の移動を拘束してピラーガーニッシュの飛散を防止する。
【先行技術文献】
【特許文献】
【０００３】
【特許文献１】特開２０１１−１５７０５４号公報
【発明の概要】
【発明が解決しようとする課題】
【０００４】
ＣＳＡ膨張展開用の隙間を十分に得るために従来のテザークリップにおいてピラーガーニッシュの長手方向と直交する方向で十分なテザー長さを確保しようとすると、テザー収納部のピラーガーニッシュの長手方向と直交する方向のスペースが必要でスペース的に成り立たない場合がある。
【０００５】
この対策として、テザークリップのテザーの曲がり方向と延び方向をピラーガーニッシュの長手方向に向けた場合、ＣＳＡ膨張展開時にテザーが延び方向と直交方向にピラーガーニッシュにより押されてテザーがクリップ中心軸線まわりに回転する可能性がある。テ
ザーが回転するのは、テザークリップの断面円形の脚がピラーの円形のクリップ取付孔内でクリップ中心軸線まわりに回転可能であること、およびテザーが曲がっているためクリップ中心軸線からオフセットした部位でテザークリップ挿入孔縁部により押されること、による。テザーが９０度近くまでクリップ中心軸線まわりに回転すると、ＣＳＡ膨張展開時にテザーがほぼ直線状に伸びた状態で、テザーの延び方向と直交するアンカーの長手方向とピラーガーニッシュのテザー挿入孔の長手方向が一致してしまい、アンカーがピラーガーニッシュのテザー挿入孔からすり抜け、ピラーガーニッシュがテザークリップから外れて飛散してしまうことが考えられる。
【０００６】
本発明の目的は、ピラーガーニッシュがピラーから離れる方向に移動する時、テザーがクリップ中心軸線まわりに９０度近く回転する前にテザーの回転を止めると共に、ピラーガーニッシュがピラーから離れる方向にテザーの回転が止められた状態以上に移動する時、テザーのクリップ中心軸線まわりの回転を０度近くにまで戻すことができるテザークリップと、該テザークリップのピラーガーニッシュへの組付構造を提供することにある。
【課題を解決するための手段】
【０００７】
上記目的を達成する本発明のテザークリップと、テザークリップのピラーガーニッシュへの組付構造は、つぎの態様（「態様」は「構造」と云ってもよい）をとることができる。なお、括弧付きの符号は図面に現れる部材番号に対応する。ただし、本発明は、括弧付きの符号の部材の形態に限定されるものではない。また、各態様と後述する本発明の第１−第３実施例との関係も併せて示す。
【０００８】
本発明の第１の態様では、テザークリップ（１０）は、テザー挿入孔（８６）が設けられた底壁（８４）をもつテザー収納部（８２）を有するピラーガーニッシュ（８０）に組み付けられる。テザークリップ（１０）は、先端（６０ｂ）および座部側端（６０ｃ）並びにテザー中間部（６０ａ）を有し１つの平面に沿う方向に延びるテザー（６０）と、テザーの先端（６０ｂ）に接続され上記１つの平面と直交する方向に延びるアンカー（６２）と、を有する。
テザー中間部（６０ａ）に、上記１つの平面に沿う方向に延び、テザー中間部（６０ａ）から離れる方向でかつ互いに反対方向に延びる一対の案内板（６４）が設けられている。一対の案内板（６４）は、テザー中間部（６０ａ）のうち一対の案内板が設けられる部分（６０ｆ）を間にして互いに対向する対向２辺（６４ａ）を有する。対向２辺（６４ａ）の間隔はテザーの先端（６０ｂ）に近づくにつれて広くなっている。
第１の態様は、本発明の第１実施例に対応し、本発明の第２実施例、第３実施例にも適用可能である。
【０００９】
本発明の第２の態様では、上記第１の態様において、案内板（６４）とアンカー（６２）との間のテザー部分（６０ｇ）に弾性片（６６）が設けられている。弾性片（６６）は、上記１つの平面に沿う方向に、案内板（６４）とアンカー（６２）との間のテザー部分（６０ｇ）から離れる方向かつアンカー（６２）に向かう方向に延びる。
第２の態様は、本発明の第１実施例に対応する。
【００１０】
本発明の第３の態様では、上記第１の態様において、一対の案内板（６４）には、案内板（６４）のアンカー（６２）に対向する部位に、アンカー（６２）に向かう方向に突出する突部（６４ｄ）が形成されている。
第３の態様は、本発明の第２実施例に対応し、本発明の第３実施例にも適用可能である。
【００１１】
本発明の第４の態様では、上記第３の態様において、案内板（６４）の突部（６４ｄ）のアンカー側先端とアンカー（６２）との間には、テザー収納部（８２）の底壁（８４）の厚さより大で、テザーの先端（６０ｂ）の中心線がテザー収納部（８２）の底壁（８４
）に直交する線から傾いた時に案内板（６４）の突部（６４ｄ）をテザー挿入孔（８６）に突入させる間隔が設けられている。
第４の態様は、本発明の第２実施例に対応し、本発明の第３実施例にも適用可能である。
【００１２】
本発明の第５の態様では、上記第３の態様において、一対の案内板（６４）のアンカー（６２）に対向する部位には、突部（６４ｄ）よりテザー中間部（６０ａ）側に、突部（６４ｄ）の先端よりもアンカー（６２）から遠ざかる方向に凹む凹部（６４ｅ）が形成されている。
第５の態様は、本発明の第２実施例に対応し、本発明の第３実施例にも適用可能である。
【００１３】
本発明の第６の態様では、上記第３の態様において、テザー中間部（６０ａ）は、座部側端（６０ｃ）から上方かつアンカー（６２）から遠ざかる方向に延びる第１の部分（６０ｈ）と、第１の部分（６０ｈ）の上端から上方かつアンカー（６２）に向かう方向に延びる第２の部分（６０ｉ）と、第２の部分（６０ｉ）の上端から下方かつアンカー（６２）に向かう方向に延びる第３の部分（６０ｊ）と、第３の部分（６０ｊ）の下端から上方かつアンカー（６２）に向かう方向にテザーの先端（６０ｂ）まで延びる第４の部分（６０ｋ）と、を有している。
第６の態様は、本発明の第３実施例に対応する。
【００１４】
本発明の第７の態様では、上記第６の態様において、テザー中間部（６０ａ）の第１の部分（６０ｈ）、第２の部分（６０ｉ）および第３の部分（６０ｊ）の少なくとも１つに、上記１つの平面に沿って、かつ、テザー中間部（６０ａ）を挟んで互いに反対側に延びる第２の案内板（７６）と第３の案内板（７８）の少なくとも一方が設けられており、テザー中間部（６０ａ）の第４の部分（６０ｋ）に一対の案内板（６４）が設けられている。
第７の態様は、本発明の第３実施例に対応する。
【００１５】
本発明の第８の態様では、上記第７の態様において、第２の案内板（７６）と第３の案内板（７８）の少なくとも一方は第４の部分（６０ｋ）に設けられた案内板（６４）と、テザー中間部（６０ａ）の延び方向に沿う方向に、非連続である。
第８の態様は、本発明の第３実施例に対応する。
【００１６】
本発明の第９の態様では、上記第１の態様において、テザー中間部（６０ａ）は座部側端（６０ｃ）から上方かつアンカー（６２）から遠ざかる方向に延びる第１の部分（６０ｈ）と、第１の部分（６０ｈ）の上端から上方かつアンカー（６２）に向かう方向に延びる第２の部分（６０ｉ）と、第２の部分（６０ｉ）の上端から下方かつアンカー（６２）に向かう方向に延びる第３の部分（６０ｊ）と、第３の部分（６０ｊ）の下端から上方かつアンカー（６２）に向かう方向にテザーの先端（６０ｂ）まで延びる第４の部分（６０ｋ）と、を有している。
第９の態様は、本発明の第３実施例に対応する。
【００１７】
本発明の第１０の態様では、上記第９の態様において、テザー中間部（６０ａ）の第１の部分（６０ｈ）、第２の部分（６０ｉ）および第３の部分（６０ｊ）の少なくとも１つに、上記１つの平面に沿って、かつ、テザー中間部（６０ａ）を挟んで互いに反対側に延びる第２の案内板（７６）と第３の案内板（７８）の少なくとも一方が設けられており、テザー中間部（６０ａ）の第４の部分（６０ｋ）に一対の案内板（６４）が設けられている。
第７の態様は、本発明の第３実施例に対応する。
【００１８】
本発明の第１１の態様では、上記第１０の態様において、第２の案内板（７６）と第３
の案内板（７８）の少なくとも一方は第４の部分（６０ｋ）に設けられた案内板（６４）と、テザー中間部（６０ａ）の延び方向に沿う方向に、非連続である。                第１１の態様は、本発明の第３実施例に対応する。
【００１９】
本発明の第１２の態様では、テザークリップのピラーガーニッシュへの組付構造（１）は、長方形状のアンカー（６２）を有する上記第１、第２、第３−第５、第６−第８、および第９−第１１の態様の何れか１つの態様のテザークリップ（１０）と、
長方形状のテザー挿入孔（８６）が設けられた底壁（８４）をもつテザー収納部（８２）を有し、前記テザークリップ（１０）がテザー（６０）の延び方向をピラーガーニッシュ長手方向に向けて組付けられるピラーガーニッシュ（８０）と、
を備える。
テザー挿入孔（８６）の長辺は案内板（６４）の対向２辺（６４ａ）の最大間隔より長い。
テザー挿入孔（８６）の短辺は案内板（６４）の対向２辺（６４ａ）の最大間隔より短い。
第１２の態様は、本発明の第１実施例に対応し、第２実施例、第３実施例に適用可能である。
【００２０】
本発明の第１３の態様では、上記第１２の態様において、テザー収納部（８２）はピラーガーニッシュ長手方向に開放された開口（８２ａ）を有している。
テザークリップ（１０）をピラーガーニッシュ（８０）に組み付けた状態において、テザー（６０）はテザー収納部（８２）の内側から外側に伸び出ており、アンカー（６２）はテザー収納部（８２）の外側に位置している。
第１３の態様は、本発明の第１実施例に対応し、第２実施例、第３実施例に適用可能である。
【００２１】
本発明の第１４の態様では、上記第１２の態様において、一対の案内板（６４）には、案内板（６４）のアンカー（６２）に対向する部位に、アンカー（６２）に向かう方向に突出する突部（６４ｄ）が形成されている。
テザー収納部（８２）の底壁（８４）の外面に、案内板の突部（６４ｄ）が引っ掛かることができ、突部（６４ｄ）が引っ掛かった時にテザー（６０）の底壁（８４）に対する回転を止める回り止め（８４ａ）が設けられている。
第１４の態様は、本発明の第２実施例に対応し、本発明の第３実施例に適用可能である。
【発明の効果】
【００２２】
上記第１の態様によれば、つぎの効果が得られる。
ピラーガーニッシュがテザークリップから抜ける方向に移動する時、テザーがピラーガーニッシュにより押されてテザークリップがクリップ中心軸線まわりに回転する場合がある。
しかし、上記第１の態様では、テザーに案内板が設けられているので、テザーがクリップ中心軸線まわりに９０度近く回転する前に案内板の２辺がテザー挿入孔の縁部に当たって、それ以上にテザーがクリップ中心軸線まわりに回転することが防止される。
その状態からさらにピラーガーニッシュがテザークリップから抜ける方向に移動すると、テザー先端に近づくにつれて広くなっている案内板の対向２辺とテザー挿入孔縁部との接触部がテザー先端に近づく。案内板の対向２辺の間隔はテザー挿入孔の短辺の長さに規制されるため、対向２辺とテザー挿入孔縁部との接触部がテザー先端に近づくにつれてテザーのクリップ中心軸線まわりの回転角度が０度近くに戻される。
これによって、ピラーガーニッシュがテザークリップから抜ける方向に移動する途中において、テザーのクリップ中心軸線まわりの回転が止められ、しかもピラーガーニッシュがさらに移動すると、アンカーの長手方向とテザー挿入孔の長手方向との角度が直交に近づ
くように矯正される。その結果、アンカーの長手方向とテザー挿入孔の長手方向とが一致してアンカーがテザー挿入孔をすり抜けることが防止される。
【００２３】
上記第２の態様によれば、弾性片が設けられているので、ＣＳＡ膨張展開時にアンカーがテザー収納部の底壁内面に当たった時には、弾性片がテザー挿入孔内に進入し、弾性片によってテザーの回転が防止される。これによって、テザー収納部の底壁が案内板とアンカーとの間に来て案内板による回転防止が効かない時においても、弾性片によって、テザーのクリップ中心軸線まわりの回転とアンカーのテザー収納部の底壁に対する回転が止められる。そのため、弾性片によってアンカーの長手方向とテザー挿入孔の長手方向との直交が保たれる。その結果、アンカーの長手方向とテザー挿入孔の長手方向とが一致してアンカーがテザー挿入孔をすり抜けることが防止される。
なお、剛片ではなく弾性片により回転防止しているため、テザークリップのピラーガーニッシュへの組付は可能である。テザークリップのピラーガーニッシュへの組付時には、アンカーをテザー収納部底壁のテザー挿入孔に通してテザー収納部内に入れ、弾性片をテザー収納部底壁の外面に押し付けて弾性変形させて平坦にする。この状態でテザークリップをピラーガーニッシュに対して９０度回転させることにより、弾性片と案内板をテザー挿入孔を通してテザー収納部内に入れることができる。
【００２４】
上記第３の態様によれば、案内板に突部が設けられているので、テザーのテザー収納部の底壁に対する回転が案内板によって規制されつつピラーガーニシュがピラーから離れる方向に移動していく時、突部が案内板に引き続いて円滑にテザー挿入孔内に進入する。また、ピラーガーニシュがテザーの曲がりを反曲がり方向に矯正しつつピラーから離れる方向に移動しても、テザーには曲がり方向に弾性復元力が働くので、一対の案内板がテザー収納部の底壁に対して傾く。これによって、一対の突部のうち一方の突部がテザー挿入孔内に進入し、この突部によってテザーのクリップ中心軸線まわりの回転と、テザー先端部の中心軸線まわりのテザー収納部の底壁に対する回転が、防止される。
案内板に突部が設けられる場合には、第２の態様の弾性片は設けられない。
【００２５】
上記第４の態様によれば、突部とアンカーとの間の間隔が、テザーの先端の中心線がテザー収納部の底壁に直交する線から傾いた時に案内板の突部をテザー挿入孔に突入させる大きさとされている。その結果、ピラーガーニッシュがテザークリップから抜ける方向に移動してアンカーがテザー収納部の底壁内面に当たった時には、一方の案内板の突部がテザー挿入孔に進入し、アンカーがテザー収納部の底壁に対して回転するのを止めることができる。
また、突部とアンカーとの間の間隔を、テザー収納部の底壁の厚さより大としたので、突部がほぼ剛体であっても、テザーをテザー収納部に組み付けることができる。その場合、アンカーをテザー挿入孔に通してテザー収納部に入れた後、テザーの先端の中心線をテザー収納部の底壁に対して直交させた状態でテザーをテザーの先端の中心線まわりに９０度回転させ、突部を有する案内板をテザー挿入孔に通してテザー収納部に入れる。
【００２６】
上記第５の態様によれば、案内板に、突部よりテザー中間部側部位に凹部を設けたので、突部よりテザー中間部側部分の肉厚部位の成形途中における材料の引けとそれによる突部の変形を抑制することができる。その結果、突部の形状、寸法制度は高い。
【００２７】
上記第６の態様または第９の態様によれば、テザー中間部が、第１、第２、第３および第４の部分を有するので、後述する図２０のテザー側面視において、テザーを左右および上下方向に湾曲させることができ、テザー長を長くできる。その結果、ＣＳＡ膨張展開時のピラーガーニッシュの開き量（ピラーガーニッシュとピラーとの間隔）を大きくでき、ＣＳＡを容易かつ確実に膨張、展開させることができる。
【００２８】
上記第７の態様または第１０の態様によれば、テザー中間部の第１、第２および第３の部分の少なくとも１つに第２、第３の案内板の少なくとも一方を設けたので、テザー長を長くしても、一対の案内板がテザー挿通孔に掛かる前から、第２、第３の案内板の少なくとも一方がテザー挿通孔に掛かり、テザーのクリップ中心軸線まわりの回転を防止できる。
【００２９】
上記第８の態様または第１１の態様によれば、第２、第３の案内板が一対の案内板と非連続であるため、第２、第３の案内板を設けたにもかかわらず、テザーの柔軟性が確保される。その結果、テザーを長くした効果、すなわち、ＣＳＡ膨張展開の際のピラーガーニッシュの開き量を大きくできるという効果が確実に得られる。
【００３０】
上記第１２の態様によれば、テザー挿入孔の長辺が案内板の２辺の最大間隔より長いので、案内板を設けたにもかかわらずテザークリップをピラーガーニッシュに組み付けることができる。
テザー挿入孔の短辺が案内板の２辺の最大間隔より短いので、ＣＳＡ膨張展開時にテザーがクリップ中心軸線まわりに９０度近く回転する前に案内板の２辺がテザー挿入孔の縁部に当たって、それ以上にテザーがクリップ中心軸線まわりに回転することが防止される。また、その状態からさらにピラーガーニッシュがテザークリップから抜ける方向に移動すると、テザー先端に近づくにつれて広くなっている２辺の間隔がテザー挿入孔縁部で規制されて、テザーのクリップ中心軸線まわりの回転角度が０度近くに戻される。
【００３１】
上記第１３の態様によれば、アンカーをテザー収納部の外側に位置させたので、テザーを長くしても、アンカーや案内板のテザー収納部の側壁との干渉を招くことなく、テザークリップをピラーガーニッシュに組み付けることができる。
【００３２】
上記第１４の態様によれば、突部をテザー収納部底壁の回り止めに引っ掛けることにより、テザーのクリップ中心軸線まわりの回転とテザー先端部のテザー収納部底壁に対する回転を確実に防止できる。
【図面の簡単な説明】
【００３３】
【図１】本発明の第１実施例に係るテザークリップの斜視図である。
【図２】ピラーガーニッシュの長手方向に沿って見た、図１より縮小されたテザークリップのピラーガーニッシュへの組付構造の正面図である。
【図３】テザーの回転を伴ってピラーガーニッシュがテザークリップから抜ける方向に移動し始めた時で、案内板がテザー挿入孔に進入する前の、テザークリップのピラーガーニッシュへの組付構造（以下、単に組付構造ともいう）の斜視図である。
【図４】ピラーガーニッシュがテザークリップから抜ける方向に図３よりさらに移動し案内板がテザー挿入孔縁部に摺接してテザーの回転が０度に戻されるモーメントが働いている時の、組付構造の平面図である。
【図５】図４の組付構造の正面図である。
【図６】ピラーガーニッシュがテザークリップから抜ける方向に図４よりさらに移動し案内板がテザー挿入孔に進入しテザーの回転が０度に戻された時の、組付構造の斜視図である。
【図７】ピラーガーニッシュがテザークリップから抜ける方向に図６よりさらに移動しアンカーがテザー挿入孔縁部に当たり、かつ弾性片がテザー挿入孔に進入した時の、組付構造の斜視図である。
【図８】ピラーガーニッシュがテザークリップから抜ける方向に移動し始め、案内板がテザー挿入孔に進入する前の段階に対応する、ステップ（以下、ＳＴＥＰ）−１における組付構造の正面図である。
【図９】図８の組付構造の平面視方向斜視図である。
【図１０】図８の組付構造の側面視方向断面図である。図１０中、実線のテザーは本発明の実施例を示し、２点鎖線のテザーは本発明の変形例を示す。
【図１１】ピラーガーニッシュがテザークリップから抜ける方向に図１０よりさらに移動し、案内板がテザー挿入孔に進入する前の段階に対応する、ＳＴＥＰ−２、３における組付構造の側面視方向断面図である。
【図１２】ピラーガーニッシュがテザークリップから抜ける方向に図１１よりさらに移動し、案内板の一部がテザー挿入孔に進入した段階に対応する、ＳＴＥＰ−４における組付構造の平面視方向斜視図である。
【図１３】図１１の組付構造の側面視方向断面図である。
【図１４】ピラーガーニッシュがテザークリップから抜ける方向に図１３よりさらに移動し案内板がテザー挿入孔に進入し回転が０度に近くに戻された段階に対応する、ＳＴＥＰ−５における組付構造の部分正面図である。
【図１５】図１４の組付構造の側面視方向断面図である。
【図１６】ピラーガーニッシュがテザークリップから抜ける方向に図１５よりさらに移動し弾性片の一部がテザー挿入孔に進入した段階に対応する、ＳＴＥＰ−６における組付構造の部分平面図である。
【図１７】図１６の組付構造の側面視方向断面図である。
【図１８】本発明の第２実施例に係るテザークリップと本発明の第２実施例に係るテザークリップのピラーガーニッシュへの組付構造の側面図である。
【図１９】図１８のテザークリップの斜視図である。
【図２０】本発明の第３実施例に係るテザークリップと本発明の第３実施例に係るテザークリップのピラーガーニッシュへの組付構造の側面図である。
【図２１】図２０のテザークリップの斜視図である。
【図２２】本発明の第２実施例に係るテザークリップのピラーガーニッシュへの組付構造における、テザー収納部の底壁外面に設けた回り止めとその近傍の斜視図である。
【図２３】本発明の第２実施例に係るテザークリップのピラーガーニッシュへの組付構造における、テザー収納部の底壁外面に設けた回り止めと、それに引っかけられた突部を有するテザークリップの突部近傍の斜視図である。
【発明を実施するための形態】
【００３４】
本発明のテザークリップ１０、およびテザークリップのピラーガーニッシュへの組付構造１を、図面を参照して説明する。
本発明は、第１−第３実施例を含む。第１実施例は案内板を設けた場合に対応する。第１実施例は弾性片を設けた場合と弾性片を含まない場合とを含むが、図は弾性片を設けた場合で示す。第２実施例は案内板に突部を設けた場合に対応する。第３実施例はテザー長を長くし、テザーに第２、第３の案内板を設けた場合に対応する。
図１−図１７は本発明の第１実施例に係わり、弾性片を除き本発明の第２実施例および第３実施例にも適用可能である。図１８、図１９、図２２および図２３は本発明の第２実施例に係わり、本発明の第３実施例にも適用可能である。図２０および図２１は本発明の第３実施例に係わる。
図面において、第１実施例−第３実施例において同じかまたは類似する構造部分には、第１実施例−第３実施例を通して共通の符号を付してある。
【００３５】
〔第１実施例〕
まず、本発明の第１実施例に係るテザークリップ１０、およびテザークリップのピラーガーニッシュへの組付構造１の構成を説明する。
第１実施例において、図１はテザークリップ１０単体を示し、図２−図１７はテザークリップ１０と、テザークリップ１０のピラーガーニッシュ８０への組付構造１を示す。
【００３６】
図１、図２、図１０に示すように、テザークリップ１０は、クリップ中心軸線１０ａ（
図１０）と直交する単一の座部２４と、座部２４から離れる方向にクリップ中心軸線１０ａに沿う方向に延びる単一の脚２０と、脚２０と反対側に座部２４から離れる方向に、１つの平面に沿って、湾曲状、または直線状、または湾曲状と直線状、に延びるテザー６０と、テザーの先端６０ｂに接続されテザー６０に直交する方向に延びるアンカー６２と、座部２４から離れる方向にテザー６０と同じ側に立ち上がる係合保持部７０と、を有する。アンカー６２は、テザーが沿って延びる１つの平面と直交する方向に延びる。アンカー６２は外形が長方形状である。
【００３７】
図２および図１０に示すように、ピラーガーニッシュ８０は、テザークリップ１０がピラーガーニッシュ８０に組み付けられた時にテザー６０の少なくとも一部を内部に収納するテザー収納部８２を有する。テザー収納部８２の底壁８４には長方形状のテザー挿入孔８６が形成されている。テザー挿入孔８６の長手方向はピラーガーニッシュ８０の長手方向に向けられている。テザー収納部８２は、ピラーガーニッシュ８０の長手方向に一方向に開放された開口８２ａを有する。
【００３８】
テザークリップ１０は可撓性を有する樹脂材からなる。樹脂材は、たとえばポリヘキサメチレンアジポアミドである。ただし、可撓性を有し必要な強度をもつ樹脂材であれば、それ以外の樹脂材であってもよい。
ピラーガーニッシュ８０は、テザークリップ１０と同等か、またはそれよりは硬質のプラスチックからなる。
【００３９】
図２に示すように、テザークリップ１０のピラーガーニッシュ８０への組付構造１は、テザークリップ１０とピラーガーニッシュ８０とを含む。テザークリップ１０のピラーガーニッシュ８０への組付においては、アンカー６２の長手方向とテザー挿入孔８６の長手方向の位相を合わせてアンカー６２をテザー挿入孔８６に通す。さらに、テザークリップ１０をクリップ中心軸線１０ａまわりに９０度回転させた後、アンカー６２がテザー収納部８２の開口８２ａを通してテザー収納部８２外に出る位置まで（図１０）、かつ、テザー収納部８２の底壁８４が係合保持部７０の膨出部７４と座部２４とで挟まれる位置まで、テザー６０をテザー収納部８２内にさらに挿入する。これにより、テザークリップ１０がピラーガーニッシュ８０に組付けられる。
【００４０】
テザークリップ１０がピラーガーニッシュ８０に組み付けられた時に、テザー６０は開口８２ａを通してテザー収納部８２の内側から外側に延び出ており、アンカー６２はテザー収納部８２の外側に位置する。これにより、テザー収納部８２の側壁によって制限されることなく、テザー６０の長さを長くすることができ。
【００４１】
テザークリップ１０が組付けられた状態で脚２０を車両のピラー９０のクリップ取付孔９２（図２）に挿入することにより、ピラーガーニッシュ８０はピラー（フロントピラー）９０に取り付けられる。脚２０の外形はほぼ円形であり、クリップ取付孔９２は円形である。したがって、脚２０はクリップ取付孔９２内でクリップ中心軸線１０ａまわりに回転できる。
【００４２】
テザー６０は、テザー６０の延び方向の途中で曲げられており、テザー６０の曲がり方向はピラーガーニッシュ８０の長手方向と一致されている。車両の側面衝突時またはロールオーバ時などＣＳＡ８８の展開時には、ピラーガーニッシュ８０がテザークリップ１０から抜ける方向に、テザー収納部８２の底壁８４がアンカー６２に当たるまで移動する。そして、展開したピラーガーニッシュ８０’とピラー９０との間にＣＳＡ８８の展開用隙間を形成し、それ以上の移動をアンカー６２によって制限してピラーガーニッシュ８０の飛散を防止する。
【００４３】
ＣＳＡ８８は、ピラー９０とピラーガーニッシュ８０との間の空間に、折り畳まれた状態で収納される。車両衝突時またはロールオーバ時、ＣＳＡ８８が膨張展開され、ピラーガーニッシュ８０をピラー９０から離れる方向（図２の矢印の方向）に押す。ＣＳＡ８８は、インナーパネル９０ａとピラーガーニッシュ８０との間に形成された展開用隙間を通して車室内に、かつ、乗員とサイドドアとの間に展開し、乗員頭部を拘束、保護する。図２で、符号８８’は展開途中のＣＳＡの一部を示す。
【００４４】
テザー６０が延び方向の途中で曲げられていること、およびテザー６０がテザー収納部８２の開口８２ａを通してテザー収納部８２の内側から外側に延び出ていること、およびアンカー６２がテザー収納部８２の外側に位置することにより、テザー長を長くできる。その結果、ＣＳＡ膨張展開時におけるインナーパネル９０ａとピラーガーニッシュ８０との間のＣＳＡ膨張展開用隙間を大きくとることができる。
【００４５】
以下、テザークリップ１０と、テザークリップ１０のピラーガーニッシュ８０への組付構造１の各部を、順に、さらに詳細に説明する。
脚２０は、座部２４と直交する。脚２０の中心軸線はクリップ中心軸線１０ａ（図１０）と一致する。脚２０は、中空である。クリップ中心軸線１０ａと直交する方向における脚２０の断面の外形は、円形、またはほぼ円形である。
【００４６】
クリップ中心軸線１０ａを挟んで互いに対向する中空脚２０の部位に一対の開口部（スリット４２）が設けられ、そこに一対の係止爪３０が設けられる。一対の係止爪３０は、クリップ中心軸線１０ａと直交する方向に、互いに対向している。
【００４７】
係止爪３０は、クリップ軸方向に座部２４から離れた位置にある脚２０との結合部３２から座部２４側に延びる。係止爪３０は、自由端で終わっていてもよい。係止爪３０が自由端で終わっている場合、係止爪３０は結合部３２を除いて逆Ｕ字状のスリット４２により脚２０および座部２４から切り離されている。係止爪３０は複数対あってもよい。本発明では、一対の係止爪３０が設けられている。
【００４８】
スリット４２の座部２４から遠い側の端部の脚軸方向位置と結合部３２の脚軸方向位置とは、脚軸方向において互いに一致する。テザークリップ１０が可撓性を有する樹脂材からなるため、係止爪３０は、クリップ中心軸線１０ａに接近、離反する方向に、すなわち倒れ、起立する方向に、弾性的に回転変形可能である。
【００４９】
係止爪３０は、脚２０の外周面から座部２４側に向かってクリップ中心軸線１０ａからの距離が増大するように傾斜する外側面と、外側面の座部２４側端からクリップ中心軸線１０ａ側に折れ曲がり座部２４に対向するボデー係止面３６を有する。
【００５０】
ピラーガーニッシュ８０に組み付けられたテザークリップ１０をピラー９０に取り付ける際、脚２０をクリップ取付孔９２に挿入していくと、係止爪３０の外側面がクリップ取付孔９２の縁部の内面または内面角部に当たる。それ以上挿入すると、係止爪３０の座部側端が、係止爪３０がクリップ中心軸線１０ａに近づく方向に、脚２０との結合部３２近傍にある回転変形中心かそれより座部２４から離れた側にある仮想回転変形中心まわり回転変形していく。
【００５１】
テザークリップ１０の脚２０には、一対の係止爪３０の対向方向と直交する脚部位に、脚軸方向に延びる長孔からなる変形促進部４４が形成されていてもよい。変形促進部４４は、長孔以外に、脚下端で外部に開放するスリットまたは薄肉部であってもよい。ただし、変形促進部４４は設けられなくてもよい。変形促進部４４が設けられた場合は、変形促進部４４によって、結合部３２および結合部３２に接続する係止爪根元部は、係止爪３０
がクリップ取付孔９２縁部から押された時にクリップ中心軸線１０ａ側に撓むことができる。これによって、結合部３２および係止爪根元部は、クリップ取付孔９２の内面の半径より大きくても、クリップ取付孔９２を通過できる。したがって、クリップ取付孔９２への通過性を確保したまま、結合部３２および係止爪根元部の厚みを厚くすることができ、それによって結合部３２および係止爪根元部の剛性を上げることができる。
【００５２】
中空脚２０の内面には、一対の係止爪３０の座部側端から脚の下端までにわたって凹凸が形成されており、この凹凸はクリップ中心軸線１０ａと平行に直線状に延びている。一方の係止爪３０に形成された凹凸の凸部と他方の係止爪３０に形成された凹凸の凹部とは、一対の係止爪３０の対向方向に対向し、一対の係止爪３０が互いに接近する方向に倒れ変形した時に一対の係止爪３０が互いに干渉することを抑制し、係止爪３０の倒れ角を増大させる。
【００５３】
テザークリップ１０は、さらに、ばね座２２を有する。ばね座２２は、座部２４または脚２０の座部２４側端から、座部２４から離れる方向かつクリップ中心軸線１０ａから離れる方向に延びる。ばね座２２は弾性を有する。ばね座２２は、脚２０をピラー９０のクリップ取付孔９２に挿通させた時に、クリップ取付孔９２縁部に当たって弾性圧縮される。ばね座２２は、係止爪３０のボデー係止面３６との間にクリップ取付孔９２縁部を挟み、テザークリップ１０とピラー９０との間の隙間を吸収してテザークリップ１０のグラツキを抑制する。ばね座２２は図示例のようにテザークリップ１０と一体に形成されていてもよいし、テザークリップ１０と別体であってもよい。
【００５４】
テザークリップ１０は、各係止爪３０の座部側への延長部の座部側先端部にクリップ中心軸線１０ａから離れる方向に延びる係止解除部３８を持つタイプのクリップであってもよい。サービス時等においてクリップ１０をピラー９０から外す時には、一対の係止解除部３８を摘んで一対の係止解除部３８が互いに接近する方向に押し、係止爪３０を係止爪３０の回転変形中心まわりに互いに接近する側に倒す。これによって、係止爪３０のボデー係止面３６のピラー９０との掛かりが外れるので、クリップ１０を抜き方向に引っ張ってピラー９０から外すことができる。
【００５５】
係合保持部７０は、脚２０と反対方向に座部２４から立ち上がる。係合保持部７０は、図１０の側面視において、テザー部６０の立ち上がり部６０ａの側方に一対設けられる。一対の係合保持部７０は、テザー曲がり方向面内において、立ち上がり部６０ａを間において立ち上がり部６０ａの側方にある。係合保持部７０は、立ち上がり部６０ａから離れた位置に設けられる。
【００５６】
図２に示すように、係合保持部７０は、テザー挿入孔８６が設けられているテザー収納部底壁８４の厚みとほぼ等しい量だけ座部２４から立ち上がる立ち上がり部７２と、立ち上がり部７２の先端からさらに座部２４から離れる方向に延びるとともに立ち上がり部７２の立ち上がり方向と直交する方向に膨出する膨出部７４を有する。膨出部７４は立ち上がり方向と直交する方向に弾性をもつように中空形状に形成される。膨出部７４の外形寸法は、係合保持部７０の自由状態において、テザー収納部８２の長方形のテザー挿入孔８６の短辺の長さより長い。
【００５７】
テザークリップ１０をピラーガーニッシュ８０に取り付ける時には、係合保持部７０をテザー収納部８２のテザー挿入孔８６に押し込む。この時、膨出部７４が膨出量が低減する方向に弾性変形してテザー挿入孔８６を通り抜け、膨出部７４がテザー収納部８２内に入る。膨出部７４がテザー挿入孔８６を通り抜けると、膨出部７４が元の位置（自由状態の位置）に弾性復帰し、膨出部７４がテザー収納部８２の長方形のテザー挿入孔８６の長辺の縁部と係合し、テザークリップ１０はテザー収納部底壁８４を膨出部７４と座部２４
との間に保持する。この状態を維持したまま、テザークリップ１０がピラー９０に取り付けられる。
【００５８】
ＣＳＡ８８の膨張展開時、ＣＳＡ８８によってピラーガーニッシュ８０がピラー９０から離れる方向（図２の矢印方向）に押されると、テザー収納部８２のテザー挿入孔８６の縁部が係合保持部７０の膨出部７４を抜き方向に押し、膨出部７４を膨出量が低減する方向に弾性変形させる。すると、膨出部７４がテザー挿入孔８６を通り抜け、テザー収納部底壁８４が係合保持部７０の膨出部７４から外れる。
【００５９】
その結果、アンカー６２がテザー収納部底壁８４のテザー挿入孔８６の縁部に当たるまで、ピラーガーニッシュ８０はピラー９０から離れる方向に移動され、ピラー９０との間にＣＳＡ８８の膨張展開用隙間を作る。図１７に示すように、アンカー６２がテザー収納部底壁８４のテザー挿入孔８６の縁部に当たると、ピラーガーニッシュ８０はそれ以上ピラー９０から離れる方向に移動できなくなり、ピラーガーニッシュ８０の車室内方向への飛散が防止される。
【００６０】
テザー６０は、１つの平面に沿って延びる。テザー６０は、テザー先端６０ｂ、テザーの座部側端６０ｃ、テザー先端６０ｂとテザー６０の座部側端６０ｃとの間に延びるテザー中間部６０ａとを有する。
【００６１】
図１０に示すように、テザー中間部６０ａは、座部２４から立ち上がる立ち上がり部６０ｄと、立ち上がり部６０ｄに接続しテザー先端６０ｂ側に湾曲する湾曲部６０ｅと、湾曲部６０ｅとテザー先端６０ｂとの間の部分６０ｆと、を有してもよい。立ち上がり部６０ｄは、図１０で実線で示すように座部２４と直交する方向に対してテザー先端６０ｂから遠ざかる方向に傾斜していてもよいし、または、図１０で２点鎖線で示すように座部２４と直交していてもよい。立ち上がり部６０ｄが座部２４から傾斜して立ち上がる場合が第１実施例に対応し、立ち上がり部６０ｄが座部２４に直交して立ち上がる場合が第１実施例の変形例に対応する。第１実施例の変形例は、第１実施例に含まれる。
【００６２】
テザー６０のテザー中間部６０ａには、一対の案内板６４が設けられている。一対の案内板６４は、１つの平面に沿って延び、一対の案内板６４が沿って延びる平面と、テザー６０が沿って延びる平面とは、同じか、または互いに平行である。一対の案内板６４が沿って延びる平面とアンカー６２の長手方向を含む平面とは互いに直交する。一対の案内板６４は、湾曲部６０ｅとテザー先端６０ｂとの間のテザー部分６０ｆを間にして、互いに対向する対向２辺６４ａをもつ。対向２辺６４ａの各辺は直線状に延びている。一対の案内板６４の対向２辺６４ａの、案内板６４が沿って延びる平面と平行な方向の間隔は、テザー先端６０ｂに近づくにつれて広くなっている。案内板６４は、テザー中間部６０ａの湾曲部６０ｅとテザー先端６０ｂとの間のテザー部分６０ｆに一体に設けられている。
【００６３】
テザー部分６０ｆと２辺６４ａとの間の案内板部分は、図示例のように埋まっていてもよいし、または、図示を省略するがくり抜きの空間になっていてもよいし、または、アンカー６２に向かって開放された開放空間になっていてもよい。埋まっている場合は案内板６４は板状体からなる。くり抜きの空間である場合は案内板６４は中抜き枠体からなる。開放空間になっている場合は案内板６４はテザー部分６０ｆからアンカー６２に向かって斜めに延びる一対の棒状体からなる。
【００６４】
案内板６４が板状体または枠体からなる場合、案内板６４は、テザー中間部６０ａの湾曲部６０ｅとテザー先端６０ｂとの間の部分６０ｆに直交するかまたはほぼ直交する方向に延びる底辺６４ｂと、底辺６４ｂと２辺６４ａとを結ぶ湾曲部６４ｃと、をさらに有していてもよい。底辺６４ｂが部分６０ｆに直交する場合は、２辺６４ａおよびその延長と
底辺６４ｂとは三角形を形成する。底辺６４ｂはテザー中間部６０ａの部分６０ｆと斜めに交わってもよく、その場合は一対の案内板はほぼ四辺形となる。また、図１８、図１９に示すように、一対の案内板６４のそれぞれの底辺６４ｂは、アンカー６２に向かって突出する突部６４ｄ、またはアンカー６２に向かって凹となる凹部６４ｅ、または突部６４ｄと凹部６４ｅの両方、を有してもよい。
【００６５】
テザークリップのピラーガーニッシュへの組付構造１において、長方形状のテザー挿入孔８６と長方形状のアンカー６２の形状寸法関係はつぎのように設定されることが望ましい。すなわち、テザー挿入孔８６の長辺はアンカー６２の長辺より長い。また、テザー挿入孔８６の短辺はアンカー６２の長辺より短く、かつアンカー６２の短辺より長い。その結果、アンカー６２の長手方向とテザー挿入孔８６の長手方向との位相が合えばアンカー６２はテザー挿入孔８６を挿通可能であるが、アンカー６２の長手方向とテザー挿入孔８６の長手方向が９０度か９０度近くになれば、アンカー６２はテザー挿入孔８６を挿通不能である。
【００６６】
テザークリップ１０のピラーガーニッシュ８０への組付時には、アンカー６２とテザー挿入孔８６の位相を合わせてアンカー６２をテザー挿入孔８６に通す。アンカー６２をテザー挿入孔８６に通した後、テザークリップ１０をクリップ中心軸線１０ａまわりに９０度回転させ、アンカー６２がテザー挿入孔８６を挿通できないようにしてテザークリップ１０をピラーガーニッシュ８０にセットする。ついで、テザークリップ１０の脚２０をピラー９０のクリップ取付孔９２に押し込むことにより、ピラーガーニッシュ８０をピラー９０に取り付ける。ＣＳＡ８８展開時には、ピラーガーニッシュ８０がテザークリップ１０から抜ける方向（ピラー９０から離れる方向と同じ）に移動する時に、アンカー６２がテザー収納部底壁８４のテザー挿入孔８６縁部に当たるまではピラーガーニッシュ８０の移動が許され、ピラーガーニッシュ８０とピラー９０との間にＣＳＡ膨張展開用隙間が形成される。しかし、アンカー６２がテザー挿入孔８６の縁部に当たるとそれ以上のピラーガーニッシュ８０の移動が拘束され、ピラーガーニッシュ８０の飛散が防止される。
【００６７】
また、テザークリップのピラーガーニッシュへの組付構造１において、テザー挿入孔８６と案内板６４との形状関係はつぎのように設定される。すなわち、テザー挿入孔８６の長辺は、案内板６４の対向２辺６４ａの最大間隔より長い。これにより、アンカー６２をテザー挿入孔８６に通した後、テザークリップ１０をクリップ中心軸線１０ａまわりに９０度回転させて案内板６４を含む面とテザー挿入孔８６の長手方向の位相を合わせた時には、案内板６４はテザー挿入孔８６を挿通可能である。したがって、テザー６０をより深くテザー収納部８２に挿入していきテザークリップ１０をピラーガーニッシュ８０に組付完了できる。組付完了状態では、案内板６４は、少なくとも対向２辺６４ａの部位がテザー収納部８２内に位置することが望ましい。案内板６４の湾曲部６４ｃや底辺６４ｂはテザー収納部８２外に突出していてもよい。この状態でテザークリップ１０がピラーガーニッシュ８０にセットされる。
【００６８】
図８に示すように、ＣＳＡ膨張展開時にＣＳＡ８８からの荷重を受けてピラーガーニッシュがピラーから離れる方向にかつＣＳＡ８８側が反ＣＳＡ側より多く開くように回転しながら移動する時、テザー６０が曲がっているので、テザークリップ１０がクリップ中心軸線１０ａまわりに回転する。より詳しくは、立ち上がり部６０ｄがクリップ中心軸線１０ａよりもアンカー６２と反対側に傾斜しながら立ち上がっている時、図９、図１０に示すＳＴＥＰ−１では、テザー挿入孔８６縁部が立ち上がり部６０ｄにクリップ中心軸線１０ａよりアンカー６２と反対側にＳ量（図１０）だけ隔たった部位ａで当たる。そのため、図９においてテザー６０はクリップ中心軸線１０ａまわりに左まわり（反時計まわり）方向Ｌに回転する。ピラーガーニッシュ８０がテザークリップ１０から抜ける方向にさらに移動したＳＴＥＰ−２、３では、図１１に示すように、クリップ中心軸線１０ａよりＳ
1 量だけ隔たった部位ｂがクリップ中心軸線１０ａに対してまだアンカー６２と反対側にある。そのため、テザー６０のクリップ中心軸線１０ａまわりの回転は左まわり（反時計まわり）方向Ｌのままである。
【００６９】
テザー挿入孔８６の短辺は、一対の案内板６４の２辺６４ａの最大間隔より短い。これにより、ＣＳＡ膨張展開時にピラーガーニッシュ８０がピラー９０から離れる方向に移動し、案内板６４がテザー収納部８２内からテザー挿入孔８６内に進入する時、テザークリップ１０がクリップ中心軸線１０ａまわりに回転すると、図１２、図１３に示すＳＴＥＰ−４で、案内板６４の対向２辺６４ａがテザー挿入孔８６の長手方向辺の縁部に当たり、それ以上の、テザークリップ１０のクリップ中心軸線１０ａまわりの回転が止められる。この時、当たり点ｃはクリップ中心軸線１０ａよりアンカー６２側にＳ2 量だけ隔たった位置にある。したがって、テザー６０はクリップ中心軸線１０ａまわりに右まわり（時計まわり）方向Ｒに回転するようになる。
【００７０】
ピラーガーニッシュ８０がピラーから離れる方向にさらに移動すると、案内板６４がテザー挿入孔８６内への進入量が増える。それにつれて増える対向２辺６４ａの間隔がテザー挿入孔８６の長辺間の間隔に規制されるため、図１４、図１５に示すＳＴＥＰ−５のように、テザー６０のクリップ中心軸線１０ａまわりの右まわり（時計まわり）方向Ｒの回転量が０度近くになるように規制される。このため、テザークリップ１０のクリップ中心軸線１０ａまわりの回転を０度近くにまで戻すことができる。図４、図５は、テザークリップ１０のクリップ中心軸線１０ａまわりの回転が０度近くにまで戻される状態を示している。
【００７１】
つぎに、本発明の第１実施例に係るテザークリップ１０、およびテザークリップのピラーガーニッシュへの組付構造１の効果、とくに、案内板６４の効果を説明する。
ピラーガーニッシュ８０がテザークリップ１０から抜ける方向に移動する時、テザー６０がピラーガーニッシュにより押されてテザークリップ１０がクリップ中心軸線１０ａまわりに回転する場合がある。とくにテザー中間部６０ａがクリップ中心軸線１０ａからオフセットしている部分を有する場合は、テザー挿入孔８６の縁部で押された時に、図８、図９に示すように左まわり（反時計まわり）方向Ｌに回転したり、図１２、図１３に示すように右まわり（時計まわり）方向Ｒに回転したりする。
【００７２】
しかし、テザー６０に案内板６４が設けられているので、案内板６４がテザー挿入孔８６まで来た時に、図４、図５、図１３に示すように、テザー６０がクリップ中心軸線１０ａまわりに９０度近く回転する前に案内板６４の２辺６４ａがテザー挿入孔８６縁部に当たる。これによって、それ以上にテザー６０がクリップ中心軸線１０ａまわりに回転することが防止される。
【００７３】
回転が止められた状態からさらにピラーガーニッシュ８０がテザークリップ１０から抜ける方向に移動すると、図４、図５に示すように、テザー先端６０ｂに近づくにつれて広くなる案内板６４の２辺６４ａの間隔がテザー挿入孔縁部の間隔となるように、案内板６４の２辺６４ａがテザー挿入孔８６縁部によって押され、テザー６０のクリップ中心軸線１０ａまわりの回転角度が０度近くに戻される。
【００７４】
これによって、ＣＳＡ膨張展開時にピラーガーニッシュ８０がテザークリップ１０から抜ける方向に移動する途中において、アンカー６２の長手方向とテザー挿入孔８６の長手方向との直交性が保たれる。そのため、アンカー６２がテザー収納部底壁８４に当たった時に、アンカー６２の長手方向とテザー挿入孔８６の長手方向とが一致してアンカー６２がテザー挿入孔８６をすり抜けることが防止される。したがって、ピラーガーニッシュ８０が飛散することが防止される。
以上述べた本発明の第１実施例に係るテザークリップ１０、およびテザークリップのピラーガーニッシュへの組付構造１の構成および効果、とくに、案内板６４と対向２辺６４ａに係る構成および効果は、本発明の第２、第３実施例にも適用可能である。
【００７５】
本発明の第１実施例は、さらにつぎの構成および効果、とくに、弾性片６６に係る構成および効果を有してもよい。
案内板６４付きテザークリップ１０をピラーガーニッシュ８０に組付け可能とするには、アンカー６２をテザー挿入孔８６に通した後テザー６０を９０度回転させるために、アンカー６２がテザー収納部底壁８４と平行な状態において案内板６４のアンカー側先端とアンカー６２との間にテザー収納部底壁８４の厚み以上の間隔が設けられることが必要である。しかし、ＣＳＡ膨張展開時に案内板６４のアンカー側先端とアンカー６２との間隔部位がテザー収納部底壁８４のテザー挿入孔８６位置に来ると、案内板６６による回転防止が効かないため、ＣＳＡ膨張展開時にテザー６０がクリップ中心軸線１０ａまわりに回転するおそれがある。これを防止するためには、テザー６０は案内板６４のアンカー側先端とアンカー６２との間に、テザー６０のクリップ中心軸線１０ａまわりの回転、またはテザー６０のテザー収納部底壁８４に対する回転を止める、回り止め構造を持つ必要がある。
【００７６】
この回り止めのために、本発明の第１実施例では、案内板６４とアンカー６２との間のテザー部分６０ｇに、該テザー部分６０ｇを間において一対の弾性片６６が設けられている。各弾性片６６は、案内板６４とアンカー６２との間のテザー部分６０ｇから案内板６４と同じ面に沿って延びる。したがって、一対の弾性片６６は、アンカー６２の長手方向と直交する面に沿う方向に延びる。テザー６０の延びる方向と平行方向にかつアンカー６２側から見た時の一対の弾性片６６の形状は長方形である。
【００７７】
弾性片６６の形状とテザー挿入孔８６の形状との関係はつぎのように設定される。すなわち、テザー挿入孔８６の長辺は、一対の弾性片６６の長方形の長辺より長く、テザー挿入孔８６の短辺は一対の弾性片６６の長方形の短辺より長い。これにより、一対の弾性片６６の長手方向とテザー挿入孔８６の長手方向の位相を合わすことにより、一対の弾性片６６をテザー挿入孔８６に通すことができる。
【００７８】
弾性片６６は、案内板６４とアンカー６２との間のテザー部分６０ｇの、アンカー６２からテザー収納部底壁８４のテザー挿入孔縁部の厚み分以上隔たった部位から分岐して、テザー部分６０ｇから離れる方向かつアンカー６２に向かう方向に、湾曲しながらまたは直線状に延び、アンカー６２の手前で終わっている。
【００７９】
テザークリップ１０のピラーガーニッシュ８０への組付時には、アンカー６２の長手方向とテザー挿入孔８６の長手方向の位相を合わせてアンカー６２をテザー挿入孔８６に挿通させる。この時、テザー挿入孔８６の長手方向と直交する方向に延びている弾性片６６をテザー収納部底壁８４の外面に押しつけて弾性片６６を平らにすることにより、テザー６０を９０度回転させることができる。
【００８０】
弾性片６６の効果は、つぎのとおりである。
テザークリップ１０のピラーガーニッシュ８０への組付時に、テザー挿入孔８６縁部を案内板６４とアンカー６２との間に位置させてテザークリップ１０をピラーガーニッシュ８０に対して９０度回転させるので、案内板６４とアンカー６２との間には間隔が設けられる。ＣＳＡ８８展開時にピラーガーニッシュ８０がテザークリップ１０から抜ける方向に移動してアンカー６２がテザー収納部底壁内面に当たった時には、テザー挿入孔縁部が、丁度、案内板６４とアンカー６２との間に来ている。そのため、案内板６４によるテザー６０の回転防止が効かず、テザー６０がテザー挿入孔８６に対して回転するおそれがある
。
【００８１】
しかし、弾性片６６が設けられていることにより、アンカー６２がテザー収納部底壁の内面に当たった時、弾性片６６がテザー挿入孔８６内に進入しているので、弾性片６６によってテザー６０のテザー挿入孔８６に対する回転が防止される。これによって、アンカー６２がテザー収納部底壁８４の内面に当たった時においても、アンカー６２の長手方向とテザー挿入孔８６の長手方向との直交性が保たれ、アンカー６２がテザー挿入孔８６をすり抜けることが防止される。
【００８２】
案内板６４の効果と弾性片６６の効果の相違はつぎのとおりである。
案内板６４は、ＣＳＡ膨張展開時にピラーガーニッシュ８０がテザークリップ１０から抜ける方向に移動する途中においてテザー６０がクリップ中心軸線１０ａまわりに９０度近くまで回転することを防止する。また、案内板６４は、９０度近くまで回転したテザー６０の回転量を０度近くまでに戻すように働く。
【００８３】
これに対し、弾性片６６は、ＣＳＡ膨張展開時ピラーガーニッシュ８０がテザークリップ１０から抜ける方向に移動してアンカー６２がテザー挿入孔周縁部に当たった時、すなわち案内板６４の回転防止効果が効かない時に、テザー６０のクリップ中心軸線１０ａまわりの回転と、アンカ６２のテザー挿入孔８６に対する回転とを防止する。
【００８４】
〔第２実施例〕
つぎに、本発明の第２実施例に係るテザークリップ１０、およびテザークリップのピラーガーニッシュへの組付構造１の構成と効果を図１８、図１９、図２２および図２３を参照して説明する。
本発明の第１実施例に係る構成と効果のうち本発明の第２実施例にも適用可能であるとした部分、とくに案内板６４の構成と効果は、本発明の第２実施例にも適用される。
以下では、本発明の第２実施例の構成、効果のうち、本発明の第１実施例の構成、効果と異なる部分を主に説明する。
【００８５】
まず、本発明の第２実施例の構成を説明する。
本発明の第２実施例では、テザー６０のテザー中間部６０ａに設けられた一対の案内板６４には、案内板６４のアンカー６２に対向する部位に、アンカー６２に向かう方向に突出する突部６４ｄが形成されている。
各案内板６４に１つの突部６４ｄが設けられ、一対の案内板６４には一対の突部６４ｄが設けられる。一対の突部６４ｄの何れか一方がテザー収納部８２の底壁８４のテザー挿入孔８６に突入すると、テザー６０はクリップ中心軸線１０ａまわりの回転を止められ、かつ、テザー収納部８２の底壁８４に対する回転を止められる。したがって、突部６４ｄはテザー６０のクリップ中心軸線１０ａまわりの回り止めと回転テザー６０のテザー収納部底壁８４に対する回り止めとして働く。
第２実施例では、突部６４ｄが設けられるので、第１実施例で回り止めの機能を果たした弾性片６６は設けられない。
【００８６】
一対の突部６４ｄのテザー中間部６０ａから遠い側の外面は、案内板６４の対向２辺６４ａの延長直線上に延びている。また、突部６４ｄの先端は、図１８に示すように、丸められている。一対の突部６４ｄは、案内板６４が設けられるテザー部分６０ｆの中心線を対称の中心として、互いに対称である。
【００８７】
一対の突部６４ｄの外面を案内板６４の対向２辺６４ａの延長直線上に延ばす理由は、ＣＳＡ膨張展開時に、テザー収納部底壁８４のテザー挿入孔縁部が案内板６４の対向２辺６４ａから一対の突部６４ｄの外面に円滑に摺動して移動することを可能にするためであ
る。
また、テザー収納部８２の底壁８４が案内板６４の対向２辺６４ａから一対の突部６４ｄの外面に移動しても、一対の突部６４ｄの外面が、案内板６４の対向２辺６４ａによる、テザーのクリップ中心軸線１０ａまわりの回転角度を０度近くに戻す効果を継続し、より一層果たすからである。
【００８８】
案内板６４と突部６４ｄは、テザー６０が沿って延びる平面と直交する方向における厚さは、同じかまたはほぼ同じとされている。案内板６４と突部６４ｄを、同じ厚さかまたはほぼ同じ厚さとすることにより、テザー６０が沿って延びる平面と直交する方向における、突部６４ｄの曲げ剛性を、案内板６４の曲げ剛性と同程度に高くできる。
【００８９】
案内板６４の突部６４ｄのアンカー側先端とアンカー６２との間には、テザー収納部８２の底壁８４の厚さより大で、テザーの先端６０ｂの中心線がテザー収納部８２の底壁８４に直交する線から傾いた時に一対の案内板６４の少なくとも一方の突部６４ｄをテザー挿入孔８６に突入させる間隔が設けられている。
【００９０】
この結果、図１８に示すように、テザーの先端６０ｂの中心線がテザー収納部８２の底壁８４と直交し、かつ、アンカー６２の案内板側表面がテザー収納部８２の底壁８４の内側面に密着している状態で、案内板６４の突部６４ｄのアンカー側先端とテザー収納部８２の底壁８４の外側面との間には、僅かな間隔（ギャップ）Ｇが形成される。
【００９１】
案内板６４の突部６４ｄのアンカー側先端とアンカー６２との間隔をテザー収納部８２の底壁８４の厚さより大とする理由は、テザークリップ１０をピラーガーニッシュ８０のテザー収納部８２に組み付ける際、アンカー６２の長手方向をテザー挿入孔８６の長手方向に合わせてアンカー６２をテザー挿入孔８６に挿通した後に、アンカー６２をテザーの先端部の中心軸線まわりに９０度回転させることを可能にするためである。アンカー６２をテザーの先端部の中心軸線まわりに９０度回転させることによって、一対の案内板６４をテザー挿入孔８６に挿通させてテザー収納部８２内に挿入していくことができる。
【００９２】
また、間隔Ｇを僅かな量とする理由は、ＣＳＡ８８の膨張展開時に、テザー６０がほぼ直線状に伸ばされ、かつ、テザー収納部８２の底壁８４がアンカー６２に当たった時、直線状に伸ばされたテザー６０の湾曲への弾性復元力によりテザー部分６０ｇがテザー収納部８２の底壁８４に直交する方向から傾いた時に、一対の案内板６４の一方に形成された突部６４ｄがテザー挿入孔８６に確実に進入して回り止めを果たすことができるようにするためである。
【００９３】
また、一対の案内板６４の各々のアンカー６２に対向する部位には、突部６４ｄよりテザー中間部６０ａ側に、突部６４ｄの先端よりもアンカー６２から遠ざかる方向に凹む凹部６４ｅが形成されている。
【００９４】
本発明の第２実施例に係るテザークリップのピラーガーニッシュへの組付構造１においては、図２２および図２３に示すように、テザー収納部８２の底壁８４の外面（ピラー９０に対向する面）に、案内板６４の突部６４ｄが引っ掛かることができ、突部６４ｄが引っ掛かった時にテザー６０のテザー収納部底壁８４に対する回転を止める回り止め８４ａが設けられている。
【００９５】
回り止め８４ａは、テザー収納部底壁８４の外側面のうち、テザー挿入孔８６の一端とテザー収納部８２の開口８２ａ側端との間に設けられている。回り止め８４ａは、テザー収納部底壁８４の外面から外側に（ピラー９０に向かう方向に）突出しており、中央に案内板６４の突部６４ｄを受け入れ可能な幅をもつ溝８４ｂを有している。この溝８４ｂの
中心線とテザー挿入孔８６の長手方向中心線とは一致している。
【００９６】
ＣＳＡ８８の膨張展開時にアンカー６２がテザー収納部底壁８４に当たった時には、図１８に示すように、一対の案内板６４の一方の突部６４ｄがテザー挿入孔８６に突入し、一対の案内板６４の他方の突部６４ｄがテザー挿入孔８６から外れる。しかし、図２２および図２３に示すように、テザー挿入孔８６から外れた方の突部６４ｄは、回り止め８４ａに引っ掛かる。
【００９７】
つぎに、本発明の第２実施例の効果を説明する。
案内板６４に突部６４ｄが設けられているので、本発明の第１実施例で述べた弾性片６６を設けなくても、ＣＳＡ膨張展開時における、テザー６０のクリップ中心軸線１０ａまわりの回転と、テザー６０のテザー収納部底壁８４に対する回転が防止される。
【００９８】
より詳しくは、ＣＳＡ膨張展開時には、テザー６０のテザー収納部底壁８４に対する回転が案内板６４によって規制されつつ、ピラーガーニシュ８０がピラー９０から離れる方向に移動していく。案内板６４に突部６４ｄが設けられているので、突部６４ｄが案内板６４に引き続いてテザー挿入孔８６内に進入し、突部６４ｄによって、テザー６０のクリップ中心軸線１０ａまわりの回転と、テザー６０のテザー収納部底壁８４に対する回転が規制される。
【００９９】
また、テザー６０がテザー中間部６０ａで、たとえば湾曲部６０ｅで曲がっているので、ピラーガーニシュ８０がテザー６０の曲がりを反曲がり方向に矯正しつつピラー９０から離れる方向に移動しても、テザー６０には曲がり方向に弾性復元力が働き、一対の案内板６４がテザー収納部底壁８４に対して傾く。これによって、２つの突部６４ｄの１つがテザー挿入孔８６内に進入し、テザー６０のクリップ中心軸線１０ａまわりの回転と、テザー６０のテザー収納部底壁８４に対する回転を防止する。
【０１００】
また、突部６４ｄとアンカー６２との間の間隔Ｇが僅かな量に設定したので、テザー６０の先端の中心線がテザー収納部底壁８４に直交する線から傾いた時、その傾き量が小さくても、突部６４ｄをテザー挿入孔８６に突入させることができる。
【０１０１】
また、突部６４ｄとアンカー６２との間の間隔を、テザー収納部底壁８４の厚さより大としたので、テザー６０をテザー収納部８２に組み付けることができる。組み付けにおいては、アンカー６２をテザー挿入孔８６に通してテザー収納部８２内に入れた後、テザー６０の先端の中心線をテザー収納部底壁８４に対して直交させた状態でテザー６０をテザー先端の中心線まわりに９０度回転させる。回転後、案内板６４をテザー挿入孔８６に通してテザー収納部８２に入れる。
【０１０２】
また、案内板６４の、突部６４ｄよりテザー中間部６０ａ側に凹部６４ｅを設けたので、突部６４ｄよりテザー中間部６０ａ側の案内板部分の肉厚部位の、成形途中における材料の引けとそれによる突部６４ｄの変形を抑制することができ、突部６４ｄの形状精度を高めることができる。
【０１０３】
テザー収納部８２の底壁８４の外面に、回り止め８４ａが設けられた場合、一対の突部６４ｄの一方はテザー挿入孔８６に進入し、一対の突部６４ｄの他方はテザー収納部底壁８４の回り止め８４ａに引っ掛かかるので、テザー６０はテザー収納部底壁８４に対して確実に回り止めされる。
【０１０４】
〔第３実施例〕
つぎに、本発明の第３実施例に係るテザークリップ１０、およびテザークリップのピラ
ーガーニッシュへの組付構造１の構成と効果を図２０、図２１を参照して説明する。
【０１０５】
本発明の第１実施例に係る構成と効果のうち本発明の第３実施例にも適用されるかまたは適用可能とした部分、とくに案内板６４の構成、効果は、本発明の第３実施例に適用される。
また、本発明の第２実施例に係る構成と効果のうち本発明の第３実施例にも適用されるかまたは適用可能とした部分、とくに突部６４ｄの構成、効果は、本発明の第３実施例に適用されてもよいし、あるいは適用されなくてもよい。
以下では、本発明の第３実施例の構成、効果のうち、本発明の第１実施例および第２実施例の構成、効果と異なる部分を主に説明する。
【０１０６】
まず、本発明の第３実施例の構成を説明する。
本発明の第３実施例では、テザー中間部６０ａは、座部側端６０ｃから上方かつアンカー６２から遠ざかる方向に延びる第１の部分６０ｈと、第１の部分６０ｈの上端から上方かつアンカー６２に向かう方向に延びる第２の部分６０ｉと、第２の部分６０ｉの上端から下方かつアンカー６２に向かう方向に延びる第３の部分６０ｊと、第３の部分６０ｊの下端から上方かつアンカー６２に向かう方向にテザーの先端６０ｂまで延びる第４の部分６０ｋと、を有している。
【０１０７】
第１の部分６０ｈ、第２の部分６０ｉ、第３の部分６０ｊ、および第４の部分６０ｋは、各々、湾曲状に延びていてもよいし、直線状に延びていてもよいし、または一部が湾曲状に残りの部分が直線状に延びていてもよい。第１の部分６０ｈ、第２の部分６０ｉ、第３の部分６０ｊ、および第４の部分６０ｋの接続部は、湾曲状に滑らかに接続していてもよいし、あるいは、折れ線状に接続していてもよい。
【０１０８】
図２０に示すように、テザー中間部６０ａは、テザー６０が沿う平面に沿って左右および上下に屈曲している。これにより、テザー６０の長さは長くなる。第３実施例のテザー６０の長さは、本発明の第１実施例および第２実施例におけるテザー６０の長さより長い。
【０１０９】
テザー中間部６０ａの第１の部分６０ｈ、第２の部分６０ｉ、第３の部分６０ｊの少なくとも１つに、望ましくは第３の部分６０ｊに、第２の案内板７６と第３の案内板７８の少なくとも一方が設けられている。第２の案内板７６と第３の案内板７８は、テザー６０が延びる１つの平面に沿って延び、かつ、テザー中間部６０ａを挟んで互いに反対側に延びる。一対の案内板６４はテザー中間部６０ａの第４の部分６０ｋに設けられている。
【０１１０】
図２０、図２１は、第３の部分６０ｊに、第２の案内板７６と第３の案内板７８が設けられる場合を示している。ＣＳＡ８８の膨張展開時には、テザー６０が湾曲状態からほぼ直線状態に伸ばされながら、ピラーガーニッシュ８０がテザークリップ１０から抜けていく。この時、図２０に示すように、まず、第２の案内板７６がテザー収納部底壁８４のテザー挿入孔８６に掛かり、ついで、第３の案内板７８がテザー収納部底壁８４のテザー挿入孔８６に掛かり、最後に一対の案内板６４がテザー収納部底壁８４のテザー挿入孔８６に掛かる。一対の案内板６４に突部６４ｄが設けられる場合には、一対の案内板６４の突部６４ｄ以外の部分がテザー収納部底壁８４のテザー挿入孔８６から外れても、一対の突部６４ｄの一方がテザー収納部底壁８４のテザー挿入孔８６に掛かる。これによって、テザー６０の長さを長くしたにもかかわらず、ほとんど常に、クリップ中心軸線１０ａ回りのテザー６０の回転およびテザー収納部底壁８４に対するテザー６０の回転が抑制される。
【０１１１】
第２の案内板７６と第３の案内板７８の少なくとも一方は（第２の案内板７６と第３の
案内板７８の両方が設けられる場合は、第２の案内板７６と第３の案内板７８の各々は）、第４の部分６０ｋに設けられた案内板６４と、テザー中間部６０ａの延び方向に沿う方向に、非連続である。これによって、第２の案内板７６と第３の案内板７８の少なくとも一方と（第２の案内板７６と第３の案内板７８の両方が設けられる場合は、第２の案内板７６と第３の案内板７８の各々と）、一対の案内板６４との間のテザー部分は柔軟であり、可撓である。
【０１１２】
つぎに、本発明の第３実施例の効果を説明する。
テザー中間部６０ａが、第１の部分６０ｈ、第２の部分６０ｉ、第３の部分６０ｊおよび第４の部分６０ｋを有するので、テザー６０を図２０で左右および上下方向に湾曲させることができ、テザー長を長くできる。その結果、ＣＳＡ膨張展開の際のピラー９０からのピラーガーニッシュ８０の開き量を大きくでき、ＣＳＡ８８を容易かつ確実に膨張、展開させることができる。
【０１１３】
また、テザー中間部６０ａの、第１の部分６０ｈ、第２の部分６０ｉおよび第３の部分６０ｊの少なくとも１つに第２、第３の案内板７６、７８の少なくとも一方を設けたので、テザー６０を長くしたにもかかわらず、一対の案内板６４がテザー挿通孔８６に掛かる前から、第２、第３の案内板７６、７８の少なくとも一方がテザー挿通孔８６に掛かり、クリップ中心軸線１０ａ回りのテザー６０の回転を防止できる。
【０１１４】
また、第２、第３の案内板７６、７８が一対の案内板６４と非連続であるため、第２、第３の案内板７６、７８を設けたにもかかわらず、テザー６０の柔軟性が確保される。その結果、テザー６０を長くした効果、すなわち、ＣＳＡ膨張展開時際におけるピラー９０からのピラーガーニッシュ８０の開き量を大きくできるという効果が確実に得られる。
【符号の説明】
【０１１５】
１    テザークリップのピラーガーニッシュへの組付構造
１０  テザークリップ
６０  テザー
６０ａ  テザー中間部（テザー先端とテザーの座部側端との間の部分）
６０ｂ  テザー先端
６０ｃ  座部側端
６０ｇ  案内板とアンカーとの間のテザー部分（テザー中間部の一部）
６０ｈ  第１の部分
６０ｉ  第２の部分
６０ｊ  第３の部分
６０ｈ  第４の部分
６２  アンカー
６４  案内板
６４ａ  対向２辺
６４ｂ  底辺
６４ｃ  湾曲部
６４ｄ  突部
６４ｅ  凹部
６６  弾性片
７０  係合保持部
７６  第２の案内板
７８  第３の案内板
８０  ピラーガーニッシュ
８２  テザー収納部
８２ａ  開口
８４  底壁
８４ａ  回り止め
８４ｂ  溝
８６  テザー挿入孔
８８  ＣＳＡ
９０  ピラー
【手続補正２】
【補正対象書類名】特許請求の範囲
【補正対象項目名】全文
【補正方法】変更
【補正の内容】
【特許請求の範囲】
【請求項１】
テザー挿入孔が設けられた底壁をもつテザー収納部を有するピラーガーニッシュに組み付けられ、
先端および座部側端並びにテザー中間部を有し１つの平面に沿う方向に延びるテザーと、テザーの先端に接続され前記１つの平面と直交する方向に延びるアンカーと、を有するテザークリップであって、
テザー中間部に、前記１つの平面に沿う方向に延び、テザー中間部から離れる方向でかつ互いに反対方向に延びる一対の案内板が設けられており、
該一対の案内板はテザー中間部のうち一対の案内板が設けられる部分を間にして互いに対向する対向２辺を有し、該対向２辺の間隔はテザーの先端に近づくにつれて広くなっており、
各案内板のアンカー側先端とアンカーとの間にはテザー収納部の底壁の厚さより大の間隔が設けられているテザークリップ。
【請求項２】
案内板とアンカーとの間のテザー部分に弾性片が設けられており、弾性片は、前記１つの平面に沿う方向に、案内板とアンカーとの間のテザー部分から離れる方向かつアンカーに近づく方向に延びる請求項１記載のテザークリップ。
【請求項３】
一対の案内板には、案内板のアンカーに対向する部位に、アンカーに向かう方向に突出する突部が形成されている請求項１記載のテザークリップ。
【請求項４】
案内板の突部のアンカー側先端とアンカーとの間には、テザー収納部の底壁の厚さより大で、テザーの先端の中心線がテザー収納部の底壁に直交する線から傾いた時に案内板の突部をテザー挿入孔に突入させる間隔が設けられている請求項３記載のテザークリップ。
【請求項５】
一対の案内板のアンカーに対向する部位には、突部よりテザー中間部側に、突部の先端よりもアンカーから遠ざかる方向に凹む凹部が形成されている請求項３記載のテザークリップ。
【請求項６】
テザー中間部は座部側端から上方かつアンカーから遠ざかる方向に延びる第１の部分と、第１の部分の上端から上方かつアンカーに向かう方向に延びる第２の部分と、第２の部分の上端から下方かつアンカーに向かう方向に延びる第３の部分と、第３の部分の下端から上方かつアンカーに向かう方向にテザーの先端まで延びる第４の部分と、を有している請求項３記載のテザークリップ。
【請求項７】
テザー中間部の第１の部分、第２の部分および第３の部分の少なくとも１つに、前記１つの平面に沿って、かつ、テザー中間部を挟んで互いに反対側に延びる第２の案内板と第
３の案内板の少なくとも一方が設けられており、テザー中間部の第４の部分に、前記一対の案内板が設けられている請求項６記載のテザークリップ。
【請求項８】
第２の案内板と第３の案内板の少なくとも一方は第４の部分に設けられた案内板と、テザー中間部の延び方向に沿う方向に、非連続である請求項７記載のテザークリップ。
【請求項９】
テザー中間部は座部側端から上方かつアンカーから遠ざかる方向に延びる第１の部分と、第１の部分の上端から上方かつアンカーに向かう方向に延びる第２の部分と、第２の部分の上端から下方かつアンカーに向かう方向に延びる第３の部分と、第３の部分の下端から上方かつアンカーに向かう方向にテザーの先端まで延びる第４の部分と、を有している請求項１記載のテザークリップ。
【請求項１０】
テザー中間部の第１の部分、第２の部分および第３の部分の少なくとも１つに、前記１つの平面に沿って、かつ、テザー中間部を挟んで互いに反対側に延びる第２の案内板と第３の案内板の少なくとも一方が設けられており、テザー中間部の第４の部分に、前記一対の案内板が設けられている請求項９記載のテザークリップ。
【請求項１１】
第２の案内板と第３の案内板の少なくとも一方は第４の部分に設けられた案内板と、テザー中間部の延び方向に沿う方向に、非連続である請求項１０記載のテザークリップ。
【請求項１２】
長方形状のアンカーを有する請求項１、請求項２、請求項３−請求項５、請求項６−請求項８、および請求項９−請求項１１の何れか１項に記載のテザークリップと、
長方形状のテザー挿入孔が設けられた底壁をもつテザー収納部を有し、前記テザークリップがテザーの延び方向をピラーガーニッシュ長手方向に向けて組付けられるピラーガーニッシュと、
を備え、
テザー挿入孔の長辺は案内板の対向２辺の最大間隔より長く、
テザー挿入孔の短辺は案内板の対向２辺の最大間隔より短い、テザークリップのピラーガーニッシュへの組付構造。
【請求項１３】
テザー収納部はピラーガーニッシュ長手方向に開放された開口を有しており、
テザークリップをピラーガーニッシュに組み付けた状態において、テザーはテザー収納部の内側から外側に延び出ており、アンカーはテザー収納部の外側に位置している請求項１２記載のテザークリップのピラーガーニッシュへの組付構造。
【請求項１４】
一対の案内板には、案内板のアンカーに対向する部位に、アンカーに向かう方向に突出する突部が形成されており、
テザー収納部の底壁の外面に、案内板の突部が引っ掛かることができ、突部が引っ掛かった時にテザー収納部の底壁に対するテザーの回転を止める回り止めが設けられている請求項１２記載のテザークリップのピラーガーニッシュへの組付構造。
【国際調査報告】
2016017539.tif 000026
2016017539.tif 000027